(57)【要約】  本開示は、干渉測定方法、ユーザ端末およびネットワーク側機器を提供する。当該方法において、ユーザ端末が、ネットワーク側機器から送信される干渉測定参照信号リソースの構成情報、および干渉測定パラメータを受信することと、前記ユーザ端末が、前記構成情報に基づき、前記干渉測定参照信号リソースで干渉測定参照信号を受信することと、前記ユーザ端末が、前記干渉測定パラメータおよび前記干渉測定参照信号に基づき、干渉信号の干渉推定値を算出することとを含む。【選択図】図２
2020535751.tif 000002
【特許請求の範囲】
【請求項１】
ユーザ端末が、ネットワーク側機器から送信される干渉測定参照信号リソースの構成情報、および干渉測定パラメータを受信することと、
前記ユーザ端末が、前記構成情報に基づき、前記干渉測定参照信号リソースで干渉測定参照信号を受信することと、
前記ユーザ端末が、前記干渉測定パラメータおよび前記干渉測定参照信号に基づき、干渉信号の干渉推定値を算出することとを含む、干渉測定方法。
【請求項２】
前記干渉測定パラメータは、前記干渉信号の空間特徴および／または強度特徴を指示することに用いられる、請求項１に記載の方法。
【請求項３】
前記強度特徴は、前記干渉測定参照信号の少なくとも１つのアンテナポートに対応する干渉信号の電力情報または幅情報を含む、請求項２に記載の方法。
【請求項４】
前記電力情報は、前記干渉信号と前記干渉測定参照信号の電力比の値であり、
前記幅情報は、前記干渉信号と前記干渉測定参照信号の幅比の値である、請求項３に記載の方法。
【請求項５】
前記干渉信号の空間特徴は、前記干渉信号送信のための相関行列またはプリコーディング行列を含む、請求項２に記載の方法。
【請求項６】
前記相関行列は、対角行列であって、かつ各対角線上の元素の値が０ではない数値または０を取り、
前記プリコーディング行列は、各列で１つの元素のみの値が０ではない数値を取り、残りが０である、請求項５に記載の方法。
【請求項７】
前記０ではない数値は、常数であり、または、
前記０ではない数値は、前記ユーザ端末が前記ネットワーク側機器から送信されたシグナリングに基づいて特定された数値であり、
ここで、前記相関行列とプリコーディング行列で０ではない数値は、同じであり、または異なる、請求項６に記載の方法。
【請求項８】
前記干渉測定パラメータは、少なくとも２つのＮｐ×Ｎｐ（Ｎｐ：前記干渉測定参照信号の送信アンテナポート数）の行列のうちの少なくとも１つの行列の指示情報であり、または、
前記干渉測定パラメータは、Ｎｐ個のアンテナポートのうちのｎ（０＜ｎ≦Ｎｐ）個のアンテナポートの指示情報であり、または、
前記干渉測定パラメータは、前記干渉信号送信のための相関行列であり、または、
前記干渉測定パラメータは、Ｎｐ個のＮｐ×１次元のベクトルのうちのｋ（１以上の整数）個のベクトルの指示情報であり、ここで、各ベクトルで１つの元素のみの値が０ではない数値を取り、残りが０であり、または、
前記干渉測定パラメータは、Ｑ（Ｑ≦Ｎｐ）個の行列のうちの少なくとも１つの行列の指示情報であり、ここで、前記Ｑ個の行列は、次元がそれぞれＮｐ×１、Ｎｐ×２、Ｎｐ×３、…、Ｎｐ×Ｑである行列を含み、かつ各行列の各列で１つの元素のみの値が０ではない数値を取り、残りが０であり、または、各行列の各列で１つの元素のみの値が０ではない数値を取り、残りが０であり、かつ各行で１つの元素のみの値が０ではない数値を取り、残りが０である、請求項５に記載の方法。
【請求項９】
前記ユーザ端末が、前記干渉測定パラメータおよび前記干渉測定参照信号に基づき、干渉信号の干渉推定値を算出することは、
前記ユーザ端末が、前記干渉測定パラメータおよび前記干渉測定参照信号に基づき、干渉信号受信のための相関行列を特定し、前記干渉信号受信のための相関行列を用いて前記干渉信号の干渉推定値を算出することを含む、請求項１〜８のいずれか一項に記載の方法。
【請求項１０】
前記ユーザ端末が、前記干渉測定パラメータおよび前記干渉測定参照信号に基づき、干渉信号受信のための相関行列を特定し、前記干渉信号受信のための相関行列を用いて前記干渉信号の干渉推定値を算出することは、
前記ユーザ端末が、前記干渉測定パラメータおよび前記干渉測定参照信号に基づき、測定帯域幅内の各サブキャリアまたはリソースユニットＲＥでの前記干渉信号受信のための相関行列を特定し、前記測定帯域幅内のすべてのサブキャリアまたはＲＥでの前記干渉信号受信のための相関行列を平均演算を行い、平均演算結果を用いて前記干渉信号の干渉推定値を算出すること、または、
前記ユーザ端末が、前記干渉測定参照信号を用いてチャネル推定を行い、チャネル推定値と前記干渉測定パラメータに基づき、前記干渉信号受信のための相関行列を特定し、前記干渉信号受信のための相関行列を用いて前記干渉信号の干渉推定値を算出すること、または、
前記ユーザ端末が、前記干渉測定パラメータに基づき、干渉測定が行われるアンテナポートを特定し、前記干渉測定参照信号を用いて、干渉測定が行われるアンテナポートのチャネル推定を行い、チャネル推定値に基づき、前記干渉信号受信のための相関行列を特定し、前記干渉信号受信のための相関行列を用いて前記干渉信号の干渉推定値を算出することを含む、請求項９に記載の方法。
【請求項１１】
前記ユーザ端末が、前記干渉測定参照信号を用いてチャネル推定を行い、チャネル推定値と前記干渉測定パラメータに基づき、前記干渉信号受信のための相関行列を特定し、前記干渉信号受信のための相関行列を用いて前記干渉信号の干渉推定値を算出することは、
前記ユーザ端末が、前記干渉測定参照信号を用いてチャネル推定を行ってチャネル推定値Ｈを得、前記干渉測定パラメータを用いて、前記干渉信号送信のための相関行列Ｒを特定し、前記干渉信号受信のための相関行列をＲｒｒ＝ＨＲＨＨに特定し、前記Ｒｒｒを用いて前記干渉信号の干渉推定値を算出すること、または、前記ユーザ端末が、前記干渉測定参照信号を用いてチャネル推定を行ってチャネル推定値Ｈを得、前記干渉測定パラメータを用いて前記干渉信号の電力行列Ｐを特定し、前記干渉信号受信のための相関行列をＲｒｒ＝ＨＰＨＨに特定し、前記Ｒｒｒを用いて前記干渉信号の干渉推定値を算出することを含み、
前記ユーザ端末が、前記干渉測定パラメータに基づき、干渉測定が行われるアンテナポートを特定し、前記干渉測定参照信号を用いて、干渉測定が行われるアンテナポートのチャネル推定を行い、チャネル推定値に基づき、前記干渉信号受信のための相関行列を特定し、前記干渉信号受信のための相関行列を用いて前記干渉信号の干渉推定値を算出することは、
前記ユーザ端末が、前記干渉測定パラメータに基づき、干渉測定が行われるアンテナポートを特定し、前記干渉測定参照信号を用いて、干渉測定が行われるアンテナポートのチャネル推定を行ってチャネル推定値Ｈｉを得、前記干渉信号受信のための相関行列をＲｒｒ＝ＨｉＨｉＨに特定し、前記Ｒｒｒを用いて前記干渉信号の干渉推定値を算出することを含み、
ここで、（）Ｈは、共役転置を示す、請求項１０に記載の方法。
【請求項１２】
前記の前記干渉測定パラメータを用いて前記干渉測定参照信号送信のための相関行列Ｒを特定することは、
前記干渉測定パラメータが少なくとも２つのＮｐ×Ｎｐの行列のうちの１つの行列の指示情報であれば、前記干渉測定パラメータに指示される行列を、前記干渉信号送信のための相関行列Ｒに特定すること、または、
前記干渉測定パラメータが少なくとも２つのＮｐ×Ｎｐの行列のうちの少なくとも２つの行列の指示情報であれば、前記干渉測定パラメータに指示される少なくとも２つの行列の和を、前記干渉信号送信のための相関行列Ｒに特定すること、または、
前記干渉測定パラメータがＮｐ個のアンテナポートのうちのｎ個のアンテナポートの指示情報であれば、構造次元がＮｐである対角行列（前記対角行列の対角線で、前記干渉測定パラメータに指示されるアンテナポートに対応する位置の値が０ではない数値を取り、残りが０である）を前記干渉信号送信のための相関行列Ｒにすること、または、
前記干渉測定パラメータが前記干渉信号送信のための相関行列であれば、当該相関行列を前記干渉信号送信のための相関行列Ｒに特定すること、または、
前記干渉測定パラメータがＮｐ個のＮｐ×１次元のベクトルのうちのｋ個のベクトルの指示情報であれば、前記干渉信号送信のための相関行列
【数２６】
2020535751.tif 000028
（νｉ：前記干渉測定パラメータに指示される第ｉ（ｉ＝１，２，３…ｋ）個のコードワード）と特定すること、または、
前記干渉測定パラメータがＱ個の行列のうちの１つの行列の指示情報であれば、前記干渉信号送信のための相関行列Ｒ＝ＶＶＨ（Ｖ：前記干渉測定パラメータに指示される行列）と特定すること、または、
前記干渉測定パラメータがＱ個の行列のうちのｍ個の行列の指示情報であれば、前記干渉信号送信のための相関行列
【数２７】
2020535751.tif 000029
（νｉ：前記干渉測定パラメータに指示される第ｉ（ｉ＝１，…ｍ（２以上の整数））個の行列）と特定することを含む、請求項１１に記載の方法。
【請求項１３】
前記ユーザ端末が、前記干渉測定パラメータに基づき、干渉測定が行われるアンテナポートを特定することは、
前記干渉測定パラメータが少なくとも２つのＮｐ×Ｎｐの行列のうちの少なくとも１つの行列の指示情報であれば、前記干渉測定パラメータに指示される行列の対角線での０ではない数値を取る元素に対応するアンテナポートを、干渉測定が行われるアンテナポートに特定すること、または、
前記干渉測定パラメータがＮｐ個のアンテナポートのうちのｎ個のアンテナポートの指示情報であれば、前記干渉測定パラメータに指示されるｎ個のアンテナポートを、干渉測定が行われるアンテナポートに特定すること、または、
前記干渉測定パラメータが前記干渉測定参照信号送信のための相関行列であれば、前記干渉測定パラメータに指示される相関行列の対角線での０ではない数値を取る元素に対応するアンテナポートを、干渉測定が行われるアンテナポートに特定すること、または、
前記干渉測定パラメータがＮｐ個のＮｐ×１次元のベクトルのうちのｋ個のベクトルの指示情報であれば、前記ｋ個のベクトルのうち０ではない数値を取る元素に対応するアンテナポートを、干渉測定が行われるアンテナポートに特定すること、または、
前記干渉測定パラメータがＱ個の行列のうちの１つの行列の指示情報であれば、前記干渉測定パラメータに指示される行列での０ではない数値を取る元素に対応するアンテナポートを、干渉測定が行われるアンテナポートに特定することを含む、請求項１１に記載の方法。
【請求項１４】
前記干渉推定値に基づいてチャネル状態情報を算出し、前記チャネル状態情報をネットワーク側にフィードバックすることをさらに含む、請求項１〜８のいずれか一項に記載の方法。
【請求項１５】
ネットワーク側機器が、干渉測定参照信号リソースの構成情報、および干渉測定パラメータを生成することと、
前記ネットワーク側機器が、前記構成情報および前記干渉測定パラメータをユーザ端末に送信することとを含み、
よって、前記ユーザ端末が、前記干渉測定パラメータおよび前記干渉測定参照信号に基づき、干渉信号の干渉推定値を算出する、干渉測定方法。
【請求項１６】
前記干渉測定パラメータは、前記干渉信号の空間特徴および／または強度特徴を指示することに用いられる、請求項１５に記載の方法。
【請求項１７】
前記強度特徴は、前記干渉測定参照信号の少なくとも１つのアンテナポートに対応する干渉信号の電力情報または幅情報を含む、請求項１６に記載の方法。
【請求項１８】
前記電力情報は、前記干渉信号と前記干渉測定参照信号の電力比の値であり、
前記幅情報は、前記干渉信号と前記干渉測定参照信号の幅比の値である、請求項１７に記載の方法。
【請求項１９】
前記干渉信号の空間特徴は、前記干渉信号送信のための相関行列またはプリコーディング行列を含む、請求項１６に記載の方法。
【請求項２０】
前記相関行列は、対角行列であって、かつ各対角線上の元素の値が０ではない数値または０を取り、
前記プリコーディング行列は、各列で１つの元素のみの値が０ではない数値を取り、残りが０である、請求項１９に記載の方法。
【請求項２１】
前記０ではない数値は、常数であり、または、
前記０ではない数値は、前記ユーザ端末が前記ネットワーク側機器から送信されたシグナリングに基づいて特定された数値であり、
ここで、前記相関行列とプリコーディング行列で０ではない数値は、同じであり、または異なる、請求項２０に記載の方法。
【請求項２２】
前記干渉測定パラメータは、少なくとも２つのＮｐ×Ｎｐ（Ｎｐ：前記干渉測定参照信号の送信アンテナポート数）の行列のうちの少なくとも１つの行列の指示情報であり、または、
前記干渉測定パラメータは、Ｎｐ個のアンテナポートのうちのｎ（０＜ｎ≦Ｎｐ）個のアンテナポートの指示情報であり、または、
前記干渉測定パラメータは、前記干渉信号送信のための相関行列であり、または、
前記干渉測定パラメータは、Ｎｐ個のＮｐ×１次元のベクトルのうちのｋ（１以上の整数）個のベクトルの指示情報であり、ここで、各ベクトルで１つの元素のみの値が０ではない数値を取り、残りが０であり、または、
前記干渉測定パラメータは、Ｑ（Ｑ≦Ｎｐ）個の行列のうちの少なくとも１つの行列の指示情報であり、ここで、前記Ｑ個の行列は、次元がそれぞれＮｐ×１、Ｎｐ×２、Ｎｐ×３、…、Ｎｐ×Ｑである行列を含み、かつ各行列の各列で１つの元素のみの値が０ではない数値を取り、残りが０であり、または、各行列の各列で１つの元素のみの値が０ではない数値を取り、残りが０であり、かつ各行で１つの元素のみの値が０ではない数値を取り、残りが０である、請求項１９に記載の方法。
【請求項２３】
前記ユーザ端末から前記干渉推定値に基づいて算出されて送信されるチャネル状態情報を、前記ネットワーク側機器が受信することをさらに含む、請求項１５〜２２のいずれか一項に記載の方法。
【請求項２４】
ネットワーク側機器から送信される干渉測定参照信号リソースの構成情報、および干渉測定パラメータを受信するための第１受信モジュールと、
前記構成情報に基づき、前記干渉測定参照信号リソースで干渉測定参照信号を受信するための第２受信モジュールと、
前記干渉測定パラメータおよび前記干渉測定参照信号に基づき、干渉信号の干渉推定値を算出するための算出モジュールとを含む、ユーザ端末。
【請求項２５】
前記干渉測定パラメータは、前記干渉信号の空間特徴および／または強度特徴を指示することに用いられる、請求項２４に記載のユーザ端末。
【請求項２６】
前記干渉信号の空間特徴は、前記干渉信号送信のための相関行列またはプリコーディング行列を含む、請求項２５に記載のユーザ端末。
【請求項２７】
前記算出モジュールは、前記干渉測定パラメータおよび前記干渉測定参照信号に基づき、干渉信号受信のための相関行列を特定し、前記干渉信号受信のための相関行列を用いて前記干渉信号の干渉推定値を算出することに用いられる、請求項２４〜２６のいずれか一項に記載のユーザ端末。
【請求項２８】
前記算出モジュールは、
前記ユーザ端末が、前記干渉測定参照信号を用いてチャネル推定を行い、チャネル推定値と前記干渉測定パラメータに基づき、前記干渉信号受信のための相関行列を特定し、前記干渉信号受信のための相関行列を用いて前記干渉信号の干渉推定値を算出することに用いられ、または、
前記算出モジュールは、
前記干渉測定パラメータに基づき、干渉測定が行われるアンテナポートを特定し、前記干渉測定参照信号を用いて、干渉測定が行われるアンテナポートのチャネル推定を行い、チャネル推定値に基づき、前記干渉信号受信のための相関行列を特定し、前記干渉信号受信のための相関行列を用いて前記干渉信号の干渉推定値を算出することに用いられる、請求項２７に記載のユーザ端末。
【請求項２９】
干渉測定参照信号リソースの構成情報、および干渉測定パラメータを生成するための生成モジュールと、
前記構成情報および前記干渉測定パラメータをユーザ端末に送信するための送信モジュールとを含み、
よって、前記ユーザ端末が、前記干渉測定パラメータおよび前記干渉測定参照信号に基づき、干渉信号の干渉推定値を算出する、ネットワーク側機器。
【請求項３０】
前記干渉測定パラメータは、前記干渉信号の空間特徴および／または強度特徴を指示することに用いられる、請求項２９に記載のネットワーク側機器。
【請求項３１】
トランシーバと、メモリと、プロセッサと、前記メモリに記憶されて前記プロセッサで実行可能なコンピュータプログラムを含むユーザ端末であって、
前記トランシーバは、ネットワーク側機器から送信される干渉測定参照信号リソースの構成情報、および干渉測定パラメータを受信することに用いられ、
前記トランシーバは、さらに、前記構成情報に基づき、前記干渉測定参照信号リソースで干渉測定参照信号を受信することに用いられ、
前記トランシーバは、さらに、前記干渉測定パラメータおよび前記干渉測定参照信号に基づき、干渉信号の干渉推定値を算出することに用いられ、
または、
前記トランシーバは、ネットワーク側機器から送信される干渉測定参照信号リソースの構成情報、および干渉測定パラメータを受信することに用いられ、
前記トランシーバは、さらに、前記構成情報に基づき、前記干渉測定参照信号リソースで干渉測定参照信号を受信することに用いられ、
前記プロセッサは、メモリからプログラムを読み取ることによって、
前記干渉測定パラメータおよび前記干渉測定参照信号に基づき、干渉信号の干渉推定値を算出するプロセスを実行することに用いられる、ユーザ端末。
【請求項３２】
前記干渉測定パラメータは、前記干渉信号の空間特徴および／または強度特徴を指示することに用いられる、請求項３１に記載のユーザ端末。
【請求項３３】
前記干渉信号の空間特徴は、前記干渉信号送信のための相関行列またはプリコーディング行列を含む、請求項３２に記載のユーザ端末。
【請求項３４】
前記干渉測定パラメータは、少なくとも２つのＮｐ×Ｎｐ（Ｎｐ：前記干渉測定参照信号の送信アンテナポート数）の行列のうちの少なくとも１つの行列の指示情報であり、または、
前記干渉測定パラメータは、Ｎｐ個のアンテナポートのうちのｎ（０＜ｎ≦Ｎｐ）個のアンテナポートの指示情報であり、または、
前記干渉測定パラメータは、前記干渉信号送信のための相関行列であり、または、
前記干渉測定パラメータは、Ｎｐ個のＮｐ×１次元のベクトルのうちのｋ（１以上の整数）個のベクトルの指示情報であり、ここで、各ベクトルで１つの元素のみの値が０ではない数値を取り、残りが０であり、または、
前記干渉測定パラメータは、Ｑ（Ｑ≦Ｎｐ）個の行列のうちの少なくとも１つの行列の指示情報であり、ここで、前記Ｑ個の行列は、次元がそれぞれＮｐ×１、Ｎｐ×２、Ｎｐ×３、…、Ｎｐ×Ｑである行列を含み、かつ各行列の各列で１つの元素のみの値が０ではない数値を取り、残りが０であり、または、各行列の各列で１つの元素のみの値が０ではない数値を取り、残りが０であり、かつ各行で１つの元素のみの値が０ではない数値を取り、残りが０である、請求項３３に記載のユーザ端末。
【請求項３５】
前記トランシーバまたはプロセッサによって実行される、前記干渉測定パラメータおよび前記干渉測定参照信号に基づき、干渉信号の干渉推定値を算出することは、
前記干渉測定パラメータおよび前記干渉測定参照信号に基づき、干渉信号受信のための相関行列を特定し、前記干渉信号受信のための相関行列を用いて前記干渉信号の干渉推定値を算出することを含む、請求項３１〜３４のいずれか一項に記載のユーザ端末。
【請求項３６】
前記トランシーバまたはプロセッサによって実行される、前記干渉測定パラメータおよび前記干渉測定参照信号に基づき、干渉信号受信のための相関行列を特定し、前記干渉信号受信のための相関行列を用いて前記干渉信号の干渉推定値を算出することは、
前記干渉測定パラメータおよび前記干渉測定参照信号に基づき、測定帯域幅内の各サブキャリアまたはリソースユニットＲＥでの前記干渉信号受信のための相関行列を特定し、前記測定帯域幅内のすべてのサブキャリアまたはＲＥでの前記干渉信号受信のための相関行列を平均演算を行い、平均演算結果を用いて前記干渉信号の干渉推定値を算出すること、または、
前記干渉測定参照信号を用いてチャネル推定を行い、チャネル推定値と前記干渉測定パラメータに基づき、前記干渉信号受信のための相関行列を特定し、前記干渉信号受信のための相関行列を用いて前記干渉信号の干渉推定値を算出すること、または、
前記干渉測定パラメータに基づき、干渉測定が行われるアンテナポートを特定し、前記干渉測定参照信号を用いて、干渉測定が行われるアンテナポートのチャネル推定を行い、チャネル推定値に基づき、前記干渉信号受信のための相関行列を特定し、前記干渉信号受信のための相関行列を用いて前記干渉信号の干渉推定値を算出することを含む、請求項３５に記載のユーザ端末。
【請求項３７】
前記トランシーバまたはプロセッサによって実行される、前記干渉測定参照信号を用いてチャネル推定を行い、チャネル推定値と前記干渉測定パラメータに基づき、前記干渉信号受信のための相関行列を特定し、前記干渉信号受信のための相関行列を用いて前記干渉信号の干渉推定値を算出することは、
前記干渉測定参照信号を用いてチャネル推定を行ってチャネル推定値Ｈを得、前記干渉測定パラメータを用いて、前記干渉信号送信のための相関行列Ｒを特定し、前記干渉信号受信のための相関行列をＲｒｒ＝ＨＲＨＨに特定し、前記Ｒｒｒを用いて前記干渉信号の干渉推定値を算出すること、または、前記干渉測定参照信号を用いてチャネル推定を行ってチャネル推定値Ｈを得、前記干渉測定パラメータを用いて前記干渉信号の電力行列Ｐを特定し、前記干渉信号受信のための相関行列をＲｒｒ＝ＨＰＨＨに特定し、前記Ｒｒｒを用いて前記干渉信号の干渉推定値を算出することを含み、
前記トランシーバまたはプロセッサによって実行される、前記干渉測定パラメータに基づき、干渉測定が行われるアンテナポートを特定し、前記干渉測定参照信号を用いて、干渉測定が行われるアンテナポートのチャネル推定を行い、チャネル推定値に基づき、前記干渉信号受信のための相関行列を特定し、前記干渉信号受信のための相関行列を用いて前記干渉信号の干渉推定値を算出することは、
前記干渉測定パラメータに基づき、干渉測定が行われるアンテナポートを特定し、前記干渉測定参照信号を用いて、干渉測定が行われるアンテナポートのチャネル推定を行ってチャネル推定値Ｈｉを得、前記干渉信号受信のための相関行列をＲｒｒ＝ＨｉＨｉＨに特定し、前記Ｒｒｒを用いて前記干渉信号の干渉推定値を算出することを含み、
ここで、（）Ｈは、共役転置を示す、請求項３６に記載のユーザ端末。
【請求項３８】
前記トランシーバまたはプロセッサによって実行される、前記干渉測定パラメータを用いて前記干渉測定参照信号送信のための相関行列Ｒを特定することは、
前記干渉測定パラメータが少なくとも２つのＮｐ×Ｎｐの行列のうちの１つの行列の指示情報であれば、前記干渉測定パラメータに指示される行列を、前記干渉信号送信のための相関行列Ｒに特定すること、または、
前記干渉測定パラメータが少なくとも２つのＮｐ×Ｎｐの行列のうちの少なくとも２つの行列の指示情報であれば、前記干渉測定パラメータに指示される少なくとも２つの行列の和を、前記干渉信号送信のための相関行列Ｒに特定すること、または、
前記干渉測定パラメータがＮｐ個のアンテナポートのうちのｎ個のアンテナポートの指示情報であれば、構造次元がＮｐである対角行列（前記対角行列の対角線で、前記干渉測定パラメータに指示されるアンテナポートに対応する位置の値が０ではない数値を取り、残りが０である）を前記干渉信号送信のための相関行列Ｒにすること、または、
前記干渉測定パラメータが前記干渉信号送信のための相関行列であれば、当該相関行列を前記干渉信号送信のための相関行列Ｒに特定すること、または、
前記干渉測定パラメータがＮｐ個のＮｐ×１次元のベクトルのうちのｋ個のベクトルの指示情報であれば、前記干渉信号送信のための相関行列
【数２８】
2020535751.tif 000030
（νｉ：前記干渉測定パラメータに指示される第ｉ（ｉ＝１，２，３…ｋ）個のコードワード）と特定すること、または、
前記干渉測定パラメータがＱ個の行列のうちの１つの行列の指示情報であれば、前記干渉信号送信のための相関行列Ｒ＝ＶＶＨ（Ｖ：前記干渉測定パラメータに指示される行列）と特定すること、または、
前記干渉測定パラメータがＱ個の行列のうちのｍ個の行列の指示情報であれば、前記干渉信号送信のための相関行列
【数２９】
2020535751.tif 000031
（νｉ：前記干渉測定パラメータに指示される第ｉ（ｉ＝１，…ｍ（２以上の整数））個の行列）と特定することを含む、請求項３７に記載のユーザ端末。
【請求項３９】
前記トランシーバまたはプロセッサによって実行される、前記干渉測定パラメータに基づき、干渉測定が行われるアンテナポートを特定することは、
前記干渉測定パラメータが少なくとも２つのＮｐ×Ｎｐの行列のうちの少なくとも１つの行列の指示情報であれば、前記干渉測定パラメータに指示される行列の対角線での０ではない数値を取る元素に対応するアンテナポートを、干渉測定が行われるアンテナポートに特定すること、または、
前記干渉測定パラメータがＮｐ個のアンテナポートのうちのｎ個のアンテナポートの指示情報であれば、前記干渉測定パラメータに指示されるｎ個のアンテナポートを、干渉測定が行われるアンテナポートに特定すること、または、
前記干渉測定パラメータが前記干渉測定参照信号送信のための相関行列であれば、前記干渉測定パラメータに指示される相関行列の対角線での０ではない数値を取る元素に対応するアンテナポートを、干渉測定が行われるアンテナポートに特定すること、または、
前記干渉測定パラメータがＮｐ個のＮｐ×１次元のベクトルのうちのｋ個のベクトルの指示情報であれば、前記ｋ個のベクトルのうち０ではない数値を取る元素に対応するアンテナポートを、干渉測定が行われるアンテナポートに特定すること、または、
前記干渉測定パラメータがＱ個の行列のうちの１つの行列の指示情報であれば、前記干渉測定パラメータに指示される行列での０ではない数値を取る元素に対応するアンテナポートを、干渉測定が行われるアンテナポートに特定することを含む、請求項３７に記載のユーザ端末。
【請求項４０】
前記トランシーバは、さらに、前記干渉推定値に基づいてチャネル状態情報を算出し、前記チャネル状態情報をネットワーク側にフィードバックすることに用いられ、
または、
前記プロセッサは、さらに、前記干渉推定値に基づいてチャネル状態情報を算出することに用いられ、
前記トランシーバは、さらに、前記チャネル状態情報をネットワーク側にフィードバックすることに用いられる、請求項３１〜３４のいずれか一項に記載のユーザ端末。
【請求項４１】
トランシーバと、メモリと、プロセッサと、前記メモリに記憶されて前記プロセッサで実行可能なコンピュータプログラムを含むネットワーク側機器であって、
前記プロセッサは、メモリからプログラムを読み取ることによって、
干渉測定参照信号リソースの構成情報、および干渉測定パラメータを生成するプロセスを実行することに用いられ、
前記トランシーバは、前記構成情報および前記干渉測定パラメータをユーザ端末に送信することに用いられ、
よって、前記ユーザ端末が、前記干渉測定パラメータおよび前記干渉測定参照信号に基づき、干渉信号の干渉推定値を算出する、ネットワーク側機器。
【請求項４２】
前記干渉測定パラメータは、前記干渉信号の空間特徴および／または強度特徴を指示することに用いられる、請求項４１に記載のネットワーク側機器。
【請求項４３】
前記干渉信号の空間特徴は、前記干渉信号送信のための相関行列またはプリコーディング行列を含む、請求項４２に記載のネットワーク側機器。
【請求項４４】
前記干渉測定パラメータは、少なくとも２つのＮｐ×Ｎｐ（Ｎｐ：前記干渉測定参照信号の送信アンテナポート数）の行列のうちの少なくとも１つの行列の指示情報であり、または、
前記干渉測定パラメータは、Ｎｐ個のアンテナポートのうちのｎ（０＜ｎ≦Ｎｐ）個のアンテナポートの指示情報であり、または、
前記干渉測定パラメータは、前記干渉信号送信のための相関行列であり、または、
前記干渉測定パラメータは、Ｎｐ個のＮｐ×１次元のベクトルのうちのｋ（１以上の整数）個のベクトルの指示情報であり、ここで、各ベクトルで１つの元素のみの値が０ではない数値を取り、残りが０であり、または、
前記干渉測定パラメータは、Ｑ（Ｑ≦Ｎｐ）個の行列のうちの少なくとも１つの行列の指示情報であり、ここで、前記Ｑ個の行列は、次元がそれぞれＮｐ×１、Ｎｐ×２、Ｎｐ×３、…、Ｎｐ×Ｑである行列を含み、かつ各行列の各列で１つの元素のみの値が０ではない数値を取り、残りが０であり、または、各行列の各列で１つの元素のみの値が０ではない数値を取り、残りが０であり、かつ各行で１つの元素のみの値が０ではない数値を取り、残りが０である、請求項４３に記載のネットワーク側機器。
【請求項４５】
前記トランシーバは、さらに、前記ユーザ端末から前記干渉推定値に基づいて算出されて送信されるチャネル状態情報を受信することに用いられる、請求項４１〜４４のいずれか一項に記載のネットワーク側機器。
【請求項４６】
コンピュータプログラムが記憶されているコンピュータ読み取り可能な記憶媒体であって、
当該プログラムがプロセッサによって実行されると、請求項１〜１４のいずれか一項に記載の干渉測定方法のステップが実現される、コンピュータ読み取り可能な記憶媒体。
【請求項４７】
コンピュータプログラムが記憶されているコンピュータ読み取り可能な記憶媒体であって、
当該プログラムがプロセッサによって実行されると、請求項１５〜２３のいずれか一項に記載の干渉測定方法のステップが実現される、コンピュータ読み取り可能な記憶媒体。
【請求項４８】
トランシーバと、メモリと、プロセッサと、前記メモリに記憶されて前記プロセッサで実行可能なコンピュータプログラムを含むユーザ端末であって、
前記コンピュータプログラムが前記プロセッサによって実行されると、請求項１〜１４のいずれか一項に記載の干渉測定方法のステップが実現される、ユーザ端末。
【請求項４９】
トランシーバと、メモリと、プロセッサと、前記メモリに記憶されて前記プロセッサで実行可能なコンピュータプログラムを含むネットワーク側機器であって、
前記コンピュータプログラムが前記プロセッサによって実行されると、請求項１５〜２３のいずれか一項に記載の干渉測定方法のステップが実現される、ネットワーク側機器。
【発明の詳細な説明】
【技術分野】
【０００１】
本願は、２０１７年９月２９日に中国特許庁に提出された中国特許出願２０１７１０９１１２７６．９の優先権を主張し、その全ての内容が援用によりここに取り込まれる。
本開示は、通信技術分野に係り、特に干渉測定方法、ユーザ端末およびネットワーク側機器に係る。
【背景技術】
【０００２】
通信システムにおいて、ユーザ端末による干渉測定は、往々に必要とされる。たとえば、チャネル品質情報ＣＱＩ（Ｃｈａｎｎｅｌ  Ｑｕａｌｉｔｙ  Ｉｎｄｉｃａｔｏｒ）またはランク指示ＲＩ（Ｒａｎｋ  Ｉｎｄｉｃａｔｏｒ）の測定および算出は、いずれもユーザ端末による干渉測定に頼る。現在の干渉測定方式として、ネットワーク側からユーザ端末に対し専用の干渉測定リソースを構成し、ユーザ端末は、ネットワーク側から送信される構成情報にしたがって、対応する干渉測定リソースで干渉測定を行う。しかし、ユーザ端末が干渉測定の際に干渉測定リソースの構成情報のみを取得するため、ユーザ端末による干渉測定の正確度が比較的に低いことに繋がる。
【発明の概要】
【発明が解決しようとする課題】
【０００３】
本開示は、干渉測定方法、ユーザ端末およびネットワーク側機器を提供することによって、ユーザ端末による干渉測定の正確度が比較的に低いという問題を解決する。
【課題を解決するための手段】
【０００４】
本開示は、干渉測定方法を提供する。当該方法において、ユーザ端末が、ネットワーク側機器から送信される干渉測定参照信号リソースの構成情報、および干渉測定パラメータを受信することと、前記ユーザ端末が、前記構成情報に基づき、前記干渉測定参照信号リソースで干渉測定参照信号を受信することと、前記ユーザ端末が、前記干渉測定パラメータおよび前記干渉測定参照信号に基づき、干渉信号の干渉推定値を算出することとを含む。
【０００５】
選択可能に、前記干渉測定パラメータは、前記干渉信号の空間特徴および／または強度特徴を指示することに用いられる。
【０００６】
選択可能に、前記強度特徴は、前記干渉測定参照信号の少なくとも１つのアンテナポートに対応する干渉信号の電力情報または幅情報を含む。
【０００７】
選択可能に、前記電力情報は、前記干渉信号と前記干渉測定参照信号の電力比の値であり、前記幅情報は、前記干渉信号と前記干渉測定参照信号の幅比の値である。
【０００８】
選択可能に、前記干渉信号の空間特徴は、前記干渉信号送信のための相関行列またはプリコーディング行列を含む。
【０００９】
選択可能に、前記相関行列は、対角行列であって、かつ各対角線上の元素の値が０ではない数値または０を取る。前記プリコーディング行列は、各列で１つの元素のみの値が０ではない数値を取り、残りが０である。
【００１０】
選択可能に、前記０ではない数値は、常数である。または、前記０ではない数値は、前記ユーザ端末が前記ネットワーク側機器から送信されたシグナリングに基づいて特定された数値である。ここで、前記相関行列とプリコーディング行列で０ではない数値は、同じであり、または異なる。
【００１１】
選択可能に、前記干渉測定パラメータは、少なくとも２つのＮｐ×Ｎｐ（Ｎｐ：前記干渉測定参照信号の送信アンテナポート数）の行列のうちの少なくとも１つの行列の指示情報である。または、前記干渉測定パラメータは、Ｎｐ個のアンテナポートのうちのｎ（０＜ｎ≦Ｎｐ）個のアンテナポートの指示情報である。または、前記干渉測定パラメータは、前記干渉信号送信のための相関行列である。または、前記干渉測定パラメータは、Ｎｐ個のＮｐ×１次元のベクトルのうちのｋ（１以上の整数）個のベクトルの指示情報である。ここで、各ベクトルで１つの元素のみの値が０ではない数値を取り、残りが０である。または、前記干渉測定パラメータは、Ｑ（Ｑ≦Ｎｐ）個の行列のうちの少なくとも１つの行列の指示情報である。ここで、前記Ｑ個の行列は、次元がそれぞれＮｐ×１、Ｎｐ×２、Ｎｐ×３、…、Ｎｐ×Ｑである行列を含み、かつ各行列の各列で１つの元素のみの値が０ではない数値を取り、残りが０である。または、各行列の各列で１つの元素のみの値が０ではない数値を取り、残りが０であり、かつ各行で１つの元素のみの値が０ではない数値を取り、残りが０である。
【００１２】
選択可能に、前記ユーザ端末が、前記干渉測定パラメータおよび前記干渉測定参照信号に基づき、干渉信号の干渉推定値を算出することは、前記ユーザ端末が、前記干渉測定パラメータおよび前記干渉測定参照信号に基づき、干渉信号受信のための相関行列を特定し、前記干渉信号受信のための相関行列を用いて前記干渉信号の干渉推定値を算出することを含む。
【００１３】
選択可能に、前記ユーザ端末が、前記干渉測定パラメータおよび前記干渉測定参照信号に基づき、干渉信号受信のための相関行列を特定し、前記干渉信号受信のための相関行列を用いて前記干渉信号の干渉推定値を算出することは、前記ユーザ端末が、前記干渉測定パラメータおよび前記干渉測定参照信号に基づき、測定帯域幅内の各サブキャリアまたはリソースユニットＲＥ（Ｒｅｓｏｕｒｃｅ  Ｅｌｅｍｅｎｔ）での前記干渉信号受信のための相関行列を特定し、前記測定帯域幅内のすべてのサブキャリアまたはＲＥでの前記干渉信号受信のための相関行列を平均演算を行い、平均演算結果を用いて前記干渉信号の干渉推定値を算出すること、または、前記ユーザ端末が、前記干渉測定参照信号を用いてチャネル推定を行い、チャネル推定値と前記干渉測定パラメータに基づき、前記干渉信号受信のための相関行列を特定し、前記干渉信号受信のための相関行列を用いて前記干渉信号の干渉推定値を算出すること、または、前記ユーザ端末が、前記干渉測定パラメータに基づき、干渉測定が行われるアンテナポートを特定し、前記干渉測定参照信号を用いて、干渉測定が行われるアンテナポートのチャネル推定を行い、チャネル推定値に基づき、前記干渉信号受信のための相関行列を特定し、前記干渉信号受信のための相関行列を用いて前記干渉信号の干渉推定値を算出することを含む。
【００１４】
選択可能に、前記ユーザ端末が、前記干渉測定参照信号を用いてチャネル推定を行い、チャネル推定値と前記干渉測定パラメータに基づき、前記干渉信号受信のための相関行列を特定し、前記干渉信号受信のための相関行列を用いて前記干渉信号の干渉推定値を算出することは、前記ユーザ端末が、前記干渉測定参照信号を用いてチャネル推定を行ってチャネル推定値Ｈを得、前記干渉測定パラメータを用いて、前記干渉信号送信のための相関行列Ｒを特定し、前記干渉信号受信のための相関行列をＲｒｒ＝ＨＲＨＨに特定し、前記Ｒｒｒを用いて前記干渉信号の干渉推定値を算出すること、または、前記ユーザ端末が、前記干渉測定参照信号を用いてチャネル推定を行ってチャネル推定値Ｈを得、前記干渉測定パラメータを用いて前記干渉信号の電力行列Ｐを特定し、前記干渉信号受信のための相関行列をＲｒｒ＝ＨＰＨＨに特定し、前記Ｒｒｒを用いて前記干渉信号の干渉推定値を算出することを含む。
前記ユーザ端末が、前記干渉測定パラメータに基づき、干渉測定が行われるアンテナポートを特定し、前記干渉測定参照信号を用いて、干渉測定が行われるアンテナポートのチャネル推定を行い、チャネル推定値に基づき、前記干渉信号受信のための相関行列を特定し、前記干渉信号受信のための相関行列を用いて前記干渉信号の干渉推定値を算出することは、前記ユーザ端末が、前記干渉測定パラメータに基づき、干渉測定が行われるアンテナポートを特定し、前記干渉測定参照信号を用いて、干渉測定が行われるアンテナポートのチャネル推定を行ってチャネル推定値Ｈｉを得、前記干渉信号受信のための相関行列をＲｒｒ＝ＨｉＨｉＨに特定し、前記Ｒｒｒを用いて前記干渉信号の干渉推定値を算出することを含み、ここで、（）Ｈは、共役転置を示す。
【００１５】
選択可能に、前記干渉測定パラメータを用いて前記干渉測定参照信号送信のための相関行列Ｒを特定することは、前記干渉測定パラメータが少なくとも２つのＮｐ×Ｎｐの行列のうちの１つの行列の指示情報であれば、前記干渉測定パラメータに指示される行列を、前記干渉信号送信のための相関行列Ｒに特定すること、または、前記干渉測定パラメータが少なくとも２つのＮｐ×Ｎｐの行列のうちの少なくとも２つの行列の指示情報であれば、前記干渉測定パラメータに指示される少なくとも２つの行列の和を、前記干渉信号送信のための相関行列Ｒに特定すること、または、前記干渉測定パラメータがＮｐ個のアンテナポートのうちのｎ個のアンテナポートの指示情報であれば、構造次元がＮｐである対角行列（前記対角行列の対角線で、前記干渉測定パラメータに指示されるアンテナポートに対応する位置の値が０ではない数値を取り、残りが０である）を前記干渉信号送信のための相関行列Ｒにすること、または、前記干渉測定パラメータが前記干渉信号送信のための相関行列であれば、当該相関行列を前記干渉信号送信のための相関行列Ｒに特定すること、または、前記干渉測定パラメータがＮｐ個のＮｐ×１次元のベクトルのうちのｋ個のベクトルの指示情報であれば、前記干渉信号送信のための相関行列
【数１】
2020535751.tif 000003
（νｉ：前記干渉測定パラメータに指示される第ｉ（ｉ＝１，２，３…ｋ）個のコードワード）と特定すること、または、前記干渉測定パラメータがＱ個の行列のうちの１つの行列の指示情報であれば、前記干渉信号送信のための相関行列Ｒ＝ＶＶＨ（Ｖ：前記干渉測定パラメータに指示される行列）と特定すること、または、前記干渉測定パラメータがＱ個の行列のうちのｍ個の行列の指示情報であれば、前記干渉信号送信のための相関行列
【数２】
2020535751.tif 000004
（νｉ：前記干渉測定パラメータに指示される第ｉ（ｉ＝１，…ｍ（２以上の整数））個の行列）と特定することを含む。
【００１６】
選択可能に、前記ユーザ端末が、前記干渉測定パラメータに基づき、干渉測定が行われるアンテナポートを特定することは、前記干渉測定パラメータが少なくとも２つのＮｐ×Ｎｐの行列のうちの少なくとも１つの行列の指示情報であれば、前記干渉測定パラメータに指示される行列の対角線での０ではない数値を取る元素に対応するアンテナポートを、干渉測定が行われるアンテナポートに特定すること、または、前記干渉測定パラメータがＮｐ個のアンテナポートのうちのｎ個のアンテナポートの指示情報であれば、前記干渉測定パラメータに指示されるｎ個のアンテナポートを、干渉測定が行われるアンテナポートに特定すること、または、前記干渉測定パラメータが前記干渉測定参照信号送信のための相関行列であれば、前記干渉測定パラメータに指示される相関行列の対角線での０ではない数値を取る元素に対応するアンテナポートを、干渉測定が行われるアンテナポートに特定すること、または、前記干渉測定パラメータがＮｐ個のＮｐ×１次元のベクトルのうちのｋ個のベクトルの指示情報であれば、前記ｋ個のベクトルのうち０ではない数値を取る元素に対応するアンテナポートを、干渉測定が行われるアンテナポートに特定すること、または、前記干渉測定パラメータがＱ個の行列のうちの１つの行列の指示情報であれば、前記干渉測定パラメータに指示される行列での０ではない数値を取る元素に対応するアンテナポートを、干渉測定が行われるアンテナポートに特定することを含む。
【００１７】
選択可能に、前記方法において、前記干渉推定値に基づいてチャネル状態情報を算出し、前記チャネル状態情報をネットワーク側にフィードバックすることをさらに含む。
【００１８】
本開示は、干渉測定方法をさらに提供する。当該方法において、ネットワーク側機器が、干渉測定参照信号リソースの構成情報、および干渉測定パラメータを生成することと、前記ネットワーク側機器が、前記構成情報および前記干渉測定パラメータをユーザ端末に送信することとを含み、よって、前記ユーザ端末が、前記干渉測定パラメータおよび前記干渉測定参照信号に基づき、干渉信号の干渉推定値を算出する。
【００１９】
選択可能に、前記干渉測定パラメータは、前記干渉信号の空間特徴および／または強度特徴を指示することに用いられる。
【００２０】
選択可能に、前記強度特徴は、前記干渉測定参照信号の少なくとも１つのアンテナポートに対応する干渉信号の電力情報または幅情報を含む。
【００２１】
選択可能に、前記電力情報は、前記干渉信号と前記干渉測定参照信号の電力比の値であり、前記幅情報は、前記干渉信号と前記干渉測定参照信号の幅比の値である。
【００２２】
選択可能に、前記干渉信号の空間特徴は、前記干渉信号送信のための相関行列またはプリコーディング行列を含む。
【００２３】
選択可能に、前記相関行列は、対角行列であって、かつ各対角線上の元素の値が０ではない数値または０を取る。前記プリコーディング行列は、各列で１つの元素のみの値が０ではない数値を取り、残りが０である。
【００２４】
選択可能に、前記０ではない数値は、常数である。または、前記０ではない数値は、前記ユーザ端末が前記ネットワーク側機器から送信されたシグナリングに基づいて特定された数値である。ここで、前記相関行列とプリコーディング行列で０ではない数値は、同じであり、または異なる。
【００２５】
選択可能に、前記干渉測定パラメータは、少なくとも２つのＮｐ×Ｎｐ（Ｎｐ：前記干渉測定参照信号の送信アンテナポート数）の行列のうちの少なくとも１つの行列の指示情報である。または、前記干渉測定パラメータは、Ｎｐ個のアンテナポートのうちのｎ（０＜ｎ≦Ｎｐ）個のアンテナポートの指示情報である。または、前記干渉測定パラメータは、前記干渉信号送信のための相関行列である。または、前記干渉測定パラメータは、Ｎｐ個のＮｐ×１次元のベクトルのうちのｋ（１以上の整数）個のベクトルの指示情報である。ここで、各ベクトルで１つの元素のみの値が０ではない数値を取り、残りが０である。または、前記干渉測定パラメータは、Ｑ（Ｑ≦Ｎｐ）個の行列のうちの少なくとも１つの行列の指示情報である。ここで、前記Ｑ個の行列は、次元がそれぞれＮｐ×１、Ｎｐ×２、Ｎｐ×３、…、Ｎｐ×Ｑである行列を含み、かつ各行列の各列で１つの元素のみの値が０ではない数値を取り、残りが０である。または、各行列の各列で１つの元素のみの値が０ではない数値を取り、残りが０であり、かつ各行で１つの元素のみの値が０ではない数値を取り、残りが０である。
【００２６】
選択可能に、前記方法において、前記ユーザ端末から前記干渉推定値に基づいて算出されて送信されるチャネル状態情報を、前記ネットワーク側機器が受信することをさらに含む。
【００２７】
本開示は、ネットワーク側機器から送信される干渉測定参照信号リソースの構成情報、および干渉測定パラメータを受信するための第１受信モジュールと、前記構成情報に基づき、前記干渉測定参照信号リソースで干渉測定参照信号を受信するための第２受信モジュールと、前記干渉測定パラメータおよび前記干渉測定参照信号に基づき、干渉信号の干渉推定値を算出するための算出モジュールとを含む、ユーザ端末をさらに提供する。
【００２８】
選択可能に、前記干渉測定パラメータは、前記干渉信号の空間特徴および／または強度特徴を指示することに用いられる。
【００２９】
選択可能に、前記干渉信号の空間特徴は、前記干渉信号送信のための相関行列またはプリコーディング行列を含む。
【００３０】
選択可能に、前記算出モジュールは、前記干渉測定パラメータおよび前記干渉測定参照信号に基づき、干渉信号受信のための相関行列を特定し、前記干渉信号受信のための相関行列を用いて前記干渉信号の干渉推定値を算出することに用いられる。
【００３１】
選択可能に、前記算出モジュールは、前記ユーザ端末が、前記干渉測定参照信号を用いてチャネル推定を行い、チャネル推定値と前記干渉測定パラメータに基づき、前記干渉信号受信のための相関行列を特定し、前記干渉信号受信のための相関行列を用いて前記干渉信号の干渉推定値を算出することに用いられる。または、前記算出モジュールは、前記干渉測定パラメータに基づき、干渉測定が行われるアンテナポートを特定し、前記干渉測定参照信号を用いて、干渉測定が行われるアンテナポートのチャネル推定を行い、チャネル推定値に基づき、前記干渉信号受信のための相関行列を特定し、前記干渉信号受信のための相関行列を用いて前記干渉信号の干渉推定値を算出することに用いられる。
【００３２】
本開示は、干渉測定参照信号リソースの構成情報、および干渉測定パラメータを生成するための生成モジュールと、前記構成情報および前記干渉測定パラメータをユーザ端末に送信するための送信モジュールとを含むネットワーク側機器をさらに提供し、よって、前記ユーザ端末が、前記干渉測定パラメータおよび前記干渉測定参照信号に基づき、干渉信号の干渉推定値を算出する。
【００３３】
選択可能に、前記干渉測定パラメータは、前記干渉信号の空間特徴および／または強度特徴を指示することに用いられる。
【００３４】
本開示は、トランシーバと、メモリと、プロセッサと、前記メモリに記憶されて前記プロセッサで実行可能なコンピュータプログラムを含むユーザ端末をさらに提供する。前記トランシーバは、ネットワーク側機器から送信される干渉測定参照信号リソースの構成情報、および干渉測定パラメータを受信することに用いられる。前記トランシーバは、さらに、前記構成情報に基づき、前記干渉測定参照信号リソースで干渉測定参照信号を受信することに用いられる。前記トランシーバは、さらに、前記干渉測定パラメータおよび前記干渉測定参照信号に基づき、干渉信号の干渉推定値を算出することに用いられる。または、前記トランシーバは、ネットワーク側機器から送信される干渉測定参照信号リソースの構成情報、および干渉測定パラメータを受信することに用いられる。前記トランシーバは、さらに、前記構成情報に基づき、前記干渉測定参照信号リソースで干渉測定参照信号を受信することに用いられる。前記プロセッサは、メモリからプログラムを読み取ることによって、前記干渉測定パラメータおよび前記干渉測定参照信号に基づき、干渉信号の干渉推定値を算出するプロセスを実行することに用いられる。
【００３５】
選択可能に、前記干渉測定パラメータは、前記干渉信号の空間特徴および／または強度特徴を指示することに用いられる。
【００３６】
選択可能に、前記強度特徴は、前記干渉測定参照信号の少なくとも１つのアンテナポートに対応する干渉信号の電力情報または幅情報を含む。
【００３７】
選択可能に、前記電力情報は、前記干渉信号と前記干渉測定参照信号の電力比の値であり、前記幅情報は、前記干渉信号と前記干渉測定参照信号の幅比の値である。
【００３８】
選択可能に、前記干渉信号の空間特徴は、前記干渉信号送信のための相関行列またはプリコーディング行列を含む。
【００３９】
選択可能に、前記相関行列は、対角行列であって、かつ各対角線上の元素の値が０ではない数値または０を取る。前記プリコーディング行列は、各列で１つの元素のみの値が０ではない数値を取り、残りが０である。
【００４０】
選択可能に、前記０ではない数値は、常数である。または、前記０ではない数値は、前記ユーザ端末が前記ネットワーク側機器から送信されたシグナリングに基づいて特定された数値である。ここで、前記相関行列とプリコーディング行列で０ではない数値は、同じであり、または異なる。
【００４１】
選択可能に、前記干渉測定パラメータは、少なくとも２つのＮｐ×Ｎｐ（Ｎｐ：前記干渉測定参照信号の送信アンテナポート数）の行列のうちの少なくとも１つの行列の指示情報である。または、前記干渉測定パラメータは、Ｎｐ個のアンテナポートのうちのｎ（０＜ｎ≦Ｎｐ）個のアンテナポートの指示情報である。または、前記干渉測定パラメータは、前記干渉信号送信のための相関行列である。または、前記干渉測定パラメータは、Ｎｐ個のＮｐ×１次元のベクトルのうちのｋ（１以上の整数）個のベクトルの指示情報である。ここで、各ベクトルで１つの元素のみの値が０ではない数値を取り、残りが０である。または、前記干渉測定パラメータは、Ｑ（Ｑ≦Ｎｐ）個の行列のうちの少なくとも１つの行列の指示情報である。ここで、前記Ｑ個の行列は、次元がそれぞれＮｐ×１、Ｎｐ×２、Ｎｐ×３、…、Ｎｐ×Ｑである行列を含み、かつ各行列の各列で１つの元素のみの値が０ではない数値を取り、残りが０である。または、各行列の各列で１つの元素のみの値が０ではない数値を取り、残りが０であり、かつ各行で１つの元素のみの値が０ではない数値を取り、残りが０である。
【００４２】
選択可能に、前記トランシーバまたはプロセッサによって実行される、前記干渉測定パラメータおよび前記干渉測定参照信号に基づき、干渉信号の干渉推定値を算出することは、前記干渉測定パラメータおよび前記干渉測定参照信号に基づき、干渉信号受信のための相関行列を特定し、前記干渉信号受信のための相関行列を用いて前記干渉信号の干渉推定値を算出することを含む。
【００４３】
選択可能に、前記トランシーバまたはプロセッサによって実行される、前記干渉測定パラメータおよび前記干渉測定参照信号に基づき、前記干渉信号受信のための相関行列を特定し、前記干渉信号受信のための相関行列を用いて前記干渉信号の干渉推定値を算出することは、前記干渉測定パラメータおよび前記干渉測定参照信号に基づき、測定帯域幅内の各サブキャリアまたはリソースユニットＲＥでの前記干渉信号受信のための相関行列を特定し、前記測定帯域幅内のすべてのサブキャリアまたはＲＥでの前記干渉信号受信のための相関行列を平均演算を行い、平均演算結果を用いて前記干渉信号の干渉推定値を算出すること、または、前記干渉測定参照信号を用いてチャネル推定を行い、チャネル推定値と前記干渉測定パラメータに基づき、前記干渉信号受信のための相関行列を特定し、前記干渉信号受信のための相関行列を用いて前記干渉信号の干渉推定値を算出すること、または、前記干渉測定パラメータに基づき、干渉測定が行われるアンテナポートを特定し、前記干渉測定参照信号を用いて、干渉測定が行われるアンテナポートのチャネル推定を行い、チャネル推定値に基づき、前記干渉信号受信のための相関行列を特定し、前記干渉信号受信のための相関行列を用いて前記干渉信号の干渉推定値を算出することを含む。
【００４４】
選択可能に、前記トランシーバまたはプロセッサによって実行される、前記干渉測定参照信号を用いてチャネル推定を行い、チャネル推定値と前記干渉測定パラメータに基づき、前記干渉信号受信のための相関行列を特定し、前記干渉信号受信のための相関行列を用いて前記干渉信号の干渉推定値を算出することは、前記干渉測定参照信号を用いてチャネル推定を行ってチャネル推定値Ｈを得、前記干渉測定パラメータを用いて、前記干渉信号送信のための相関行列Ｒを特定し、前記干渉信号受信のための相関行列をＲｒｒ＝ＨＲＨＨに特定し、前記Ｒｒｒを用いて前記干渉信号の干渉推定値を算出すること、または、前記干渉測定参照信号を用いてチャネル推定を行ってチャネル推定値Ｈを得、前記干渉測定パラメータを用いて前記干渉信号の電力行列Ｐを特定し、前記干渉信号受信のための相関行列をＲｒｒ＝ＨＰＨＨに特定し、前記Ｒｒｒを用いて前記干渉信号の干渉推定値を算出することを含む。前記トランシーバまたはプロセッサによって実行される、前記干渉測定パラメータに基づき、干渉測定が行われるアンテナポートを特定し、前記干渉測定参照信号を用いて、干渉測定が行われるアンテナポートのチャネル推定を行い、チャネル推定値に基づき、前記干渉信号受信のための相関行列を特定し、前記干渉信号受信のための相関行列を用いて前記干渉信号の干渉推定値を算出することは、前記干渉測定パラメータに基づき、干渉測定が行われるアンテナポートを特定し、前記干渉測定参照信号を用いて、干渉測定が行われるアンテナポートのチャネル推定を行ってチャネル推定値Ｈｉを得、前記干渉信号受信のための相関行列をＲｒｒ＝ＨｉＨｉＨに特定し、前記Ｒｒｒを用いて前記干渉信号の干渉推定値を算出することを含み、ここで、（）Ｈは、共役転置を示す。
【００４５】
選択可能に、前記トランシーバまたはプロセッサによって実行される、前記干渉測定パラメータを用いて前記干渉測定参照信号送信のための相関行列Ｒを特定することは、前記干渉測定パラメータが少なくとも２つのＮｐ×Ｎｐの行列のうちの１つの行列の指示情報であれば、前記干渉測定パラメータに指示される行列を、前記干渉信号送信のための相関行列Ｒに特定すること、または、前記干渉測定パラメータが少なくとも２つのＮｐ×Ｎｐの行列のうちの少なくとも２つの行列の指示情報であれば、前記干渉測定パラメータに指示される少なくとも２つの行列の和を、前記干渉信号送信のための相関行列Ｒに特定すること、または、前記干渉測定パラメータがＮｐ個のアンテナポートのうちのｎ個のアンテナポートの指示情報であれば、構造次元がＮｐである対角行列（前記対角行列の対角線で、前記干渉測定パラメータに指示されるアンテナポートに対応する位置の値が０ではない数値を取り、残りが０である）を前記干渉信号送信のための相関行列Ｒにすること、または、前記干渉測定パラメータが前記干渉信号送信のための相関行列であれば、当該相関行列を前記干渉信号送信のための相関行列Ｒに特定すること、または、前記干渉測定パラメータがＮｐ個のＮｐ×１次元のベクトルのうちのｋ個のベクトルの指示情報であれば、前記干渉信号送信のための相関行列
【数３】
2020535751.tif 000005
（νｉ：前記干渉測定パラメータに指示される第ｉ（ｉ＝１，２，３…ｋ）個のコードワード）と特定すること、または、前記干渉測定パラメータがＱ個の行列のうちの１つの行列の指示情報であれば、前記干渉信号送信のための相関行列Ｒ＝ＶＶＨ（Ｖ：前記干渉測定パラメータに指示される行列）と特定すること、または、前記干渉測定パラメータがＱ個の行列のうちのｍ個の行列の指示情報であれば、前記干渉信号送信のための相関行列
【数４】
2020535751.tif 000006
（νｉ：前記干渉測定パラメータに指示される第ｉ（ｉ＝１，…ｍ（２以上の整数））個の行列）と特定することを含む。
【００４６】
選択可能に、前記トランシーバまたはプロセッサによって実行される、前記干渉測定パラメータに基づき、干渉測定が行われるアンテナポートを特定することは、前記干渉測定パラメータが少なくとも２つのＮｐ×Ｎｐの行列のうちの少なくとも１つの行列の指示情報であれば、前記干渉測定パラメータに指示される行列の対角線での０ではない数値を取る元素に対応するアンテナポートを、干渉測定が行われるアンテナポートに特定すること、または、前記干渉測定パラメータがＮｐ個のアンテナポートのうちのｎ個のアンテナポートの指示情報であれば、前記干渉測定パラメータに指示されるｎ個のアンテナポートを、干渉測定が行われるアンテナポートに特定すること、または、前記干渉測定パラメータが前記干渉測定参照信号送信のための相関行列であれば、前記干渉測定パラメータに指示される相関行列の対角線での０ではない数値を取る元素に対応するアンテナポートを、干渉測定が行われるアンテナポートに特定すること、または、前記干渉測定パラメータがＮｐ個のＮｐ×１次元のベクトルのうちのｋ個のベクトルの指示情報であれば、前記ｋ個のベクトルのうち０ではない数値を取る元素に対応するアンテナポートを、干渉測定が行われるアンテナポートに特定すること、または、前記干渉測定パラメータがＱ個の行列のうちの１つの行列の指示情報であれば、前記干渉測定パラメータに指示される行列での０ではない数値を取る元素に対応するアンテナポートを、干渉測定が行われるアンテナポートに特定することを含む。
【００４７】
選択可能に、前記トランシーバは、さらに、前記干渉推定値に基づいてチャネル状態情報を算出し、前記チャネル状態情報をネットワーク側にフィードバックすることに用いられる。または、前記プロセッサは、さらに、前記干渉推定値に基づいてチャネル状態情報を算出することに用いられる。前記トランシーバは、さらに、前記チャネル状態情報をネットワーク側にフィードバックすることに用いられる。
【００４８】
本開示は、トランシーバと、メモリと、プロセッサと、前記メモリに記憶されて前記プロセッサで実行可能なコンピュータプログラムを含むネットワーク側機器をさらに提供する。前記プロセッサは、メモリからプログラムを読み取ることによって、干渉測定参照信号リソースの構成情報、および干渉測定パラメータを生成するプロセスを実行することに用いられる。前記トランシーバは、前記構成情報および前記干渉測定パラメータをユーザ端末に送信することに用いられる。よって、前記ユーザ端末は、前記干渉測定パラメータおよび前記干渉測定参照信号に基づき、干渉信号の干渉推定値を算出する。
【００４９】
選択可能に、前記干渉測定パラメータは、前記干渉信号の空間特徴および／または強度特徴を指示することに用いられる。
【００５０】
選択可能に、前記強度特徴は、前記干渉測定参照信号の少なくとも１つのアンテナポートに対応する干渉信号の電力情報または幅情報を含む。
【００５１】
選択可能に、前記電力情報は、前記干渉信号と前記干渉測定参照信号の電力比の値であり、前記幅情報は、前記干渉信号と前記干渉測定参照信号の幅比の値である。
【００５２】
選択可能に、前記干渉信号の空間特徴は、前記干渉信号送信のための相関行列またはプリコーディング行列を含む。
【００５３】
選択可能に、前記相関行列は、対角行列であって、かつ各対角線上の元素の値が０ではない数値または０を取る。前記プリコーディング行列は、各列で１つの元素のみの値が０ではない数値を取り、残りが０である。
【００５４】
選択可能に、前記０ではない数値は、常数である。または、前記０ではない数値は、前記ユーザ端末が前記ネットワーク側機器から送信されたシグナリングに基づいて特定された数値である。ここで、前記相関行列とプリコーディング行列で０ではない数値は、同じであり、または異なる。
【００５５】
選択可能に、前記干渉測定パラメータは、少なくとも２つのＮｐ×Ｎｐ（Ｎｐ：前記干渉測定参照信号の送信アンテナポート数）の行列のうちの少なくとも１つの行列の指示情報である。または、前記干渉測定パラメータは、Ｎｐ個のアンテナポートのうちのｎ（０＜ｎ≦Ｎｐ）個のアンテナポートの指示情報である。または、前記干渉測定パラメータは、前記干渉信号送信のための相関行列である。または、前記干渉測定パラメータは、Ｎｐ個のＮｐ×１次元のベクトルのうちのｋ（１以上の整数）個のベクトルの指示情報である。ここで、各ベクトルで１つの元素のみの値が０ではない数値を取り、残りが０である。または、前記干渉測定パラメータは、Ｑ（Ｑ≦Ｎｐ）個の行列のうちの少なくとも１つの行列の指示情報である。ここで、前記Ｑ個の行列は、次元がそれぞれＮｐ×１、Ｎｐ×２、Ｎｐ×３、…、Ｎｐ×Ｑである行列を含み、かつ各行列の各列で１つの元素のみの値が０ではない数値を取り、残りが０である。または、各行列の各列で１つの元素のみの値が０ではない数値を取り、残りが０であり、かつ各行で１つの元素のみの値が０ではない数値を取り、残りが０である。
【００５６】
選択可能に、前記トランシーバは、さらに、前記ユーザ端末から前記干渉推定値に基づいて算出されて送信されるチャネル状態情報を受信することに用いられる。
【００５７】
本開示は、コンピュータプログラムが記憶されているコンピュータ読み取り可能な記憶媒体をさらに提供する。当該プログラムがプロセッサによって実行されると、上記ユーザ端末の干渉測定方法のステップが実現される。
【００５８】
本開示は、コンピュータプログラムが記憶されているコンピュータ読み取り可能な記憶媒体をさらに提供する。当該プログラムがプロセッサによって実行されると、上記ネットワーク側機器の干渉測定方法のステップが実現される。
【００５９】
本開示は、トランシーバと、メモリと、プロセッサと、前記メモリに記憶されて前記プロセッサで実行可能なコンピュータプログラムを含むユーザ端末をさらに提供する。前記コンピュータプログラムが前記プロセッサによって実行されると、上記の干渉測定方法のステップが実現される。
【００６０】
本開示は、トランシーバと、メモリと、プロセッサと、前記メモリに記憶されて前記プロセッサで実行可能なコンピュータプログラムを含むネットワーク側機器をさらに提供する。前記コンピュータプログラムが前記プロセッサによって実行されると、上記の干渉測定方法のステップが実現される。
【発明の効果】
【００６１】
本開示において、ユーザ端末は、ネットワーク側機器から送信される干渉測定参照信号リソースの構成情報、および干渉測定パラメータを受信する。前記ユーザ端末は、前記構成情報に基づき、前記干渉測定参照信号リソースで干渉測定参照信号を受信する。前記ユーザ端末は、前記干渉測定パラメータおよび前記干渉測定参照信号に基づき、干渉信号の干渉推定値を算出する。このように、ユーザ端末が干渉測定の補助に干渉測定パラメータを使用することによって、干渉測定の正確度を高めることができる。
【図面の簡単な説明】
【００６２】
【図１】図１は、本開示の一部実施例で応用可能なネットワーク構造図である。
【図２】図２は、本開示の一部実施例における干渉測定方法のフローチャートである。
【図３】図３は、本開示の一部実施例における別の干渉測定方法のフローチャートである。
【図４】図４は、本開示の一部実施例におけるユーザ端末の構造図である。
【図５】図５は、本開示の一部実施例における別のユーザ端末の構造図である。
【図６】図６は、本開示の一部実施例におけるネットワーク側機器の構造図である。
【図７】図７は、本開示の一部実施例における別のネットワーク側機器の構造図である。
【図８】図８は、本開示の一部実施例における別のユーザ端末の構造図である。
【図９】図９は、本開示の一部実施例における別のネットワーク側機器の構造図である。
【発明を実施するための形態】
【００６３】
本開示の解決しようとする技術課題、技術手段及び利点をより明確にするために、以下、図面および具体的な実施例を通じて詳細に記載する。
【００６４】
図１を参照する。図１は、本開示の一部実施例で応用可能なネットワーク構造図である。図１に示すように、ＵＥ（Ｕｓｅｒ  Ｅｑｕｉｐｍｅｎｔ）１１とネットワーク側機器１２が含まれる。ここで、ユーザ機器１１は、携帯電話、タブレットパソコン（Ｔａｂｌｅｔ  Ｐｅｒｓｏｎａｌ  Ｃｏｍｐｕｔｅｒ）、ラップトップ型パソコン（Ｌａｐｔｏｐ  Ｃｏｍｐｕｔｅｒ）、ＰＤＡ（Ｐｅｒｓｏｎａｌ  Ｄｉｇｉｔａｌ  Ａｓｓｉｓｔａｎｔ）、ＭＩＤ（Ｍｏｂｉｌｅ  Ｉｎｔｅｒｎｅｔ  Ｄｅｖｉｃｅ）またはウェアラブルデバイス（Ｗｅａｒａｂｌｅ  Ｄｅｖｉｃｅ）などの端末側機器である。なお、本開示の実施例において、ユーザ機器１１の具体的な種類を限定しない。ネットワーク側機器１２は、たとえばマクロ基地局、ＬＴＥ  ｅＮＢ、５Ｇ  ＮＲ  ＮＢなどの基地局である。ネットワーク側機器１２は、ｐｉｃｏ、ｆｅｍｔｏなどＬＰＮ（ｌｏｗ  ｐｏｗｅｒ  ｎｏｄｅ）のスモール基地局、またはＡＰ（ａｃｃｅｓｓ  ｐｏｉｎｔ）であってもよい。基地局は、ＣＵ（ｃｅｎｔｒａｌ  ｕｎｉｔ）およびその管理／制御下の複数のＴＲＰ（Ｔｒａｎｓｍｉｓｓｉｏｎ  Ｒｅｃｅｐｔｉｏｎ  Ｐｏｉｎｔ）からなるネットワークノードであってもよい。なお、本開示の一部実施例において、ネットワーク側機器１２の具体的な種類を限定しない。
【００６５】
図２を参照する。図２は、本開示の一部実施例における干渉測定方法のフローチャートである。図２に示すように、ユーザ端末が、ネットワーク側機器から送信される干渉測定参照信号リソースの構成情報、および干渉測定パラメータを受信するステップ２０１と、前記ユーザ端末が、前記構成情報に基づき、前記干渉測定参照信号リソースで干渉測定参照信号を受信するステップ２０２と、前記ユーザ端末が、前記干渉測定パラメータおよび前記干渉測定参照信号に基づき、干渉信号の干渉推定値を算出するステップ２０３とを含む。
【００６６】
上記構成情報と干渉測定パラメータは、同一のメッセージによって受信されてもよく、異なるメッセージによって受信されてもよいが、これについて、本開示の実施例では限定しない。また、上記構成情報は、さらに、以下の１つまたは複数を含んでもよい。
各アンテナポートの参照信号の系列；
各アンテナポートの参照信号の系列を算出するための１つまたは複数の識別子（ＩＤ）；
各アンテナポートに干渉が存在するか否かの指示情報；
ユーザ端末による選択、合併および平均演算の補助のための指示情報、または、さらに１つまたは複数のアンテナポートでの信号を処理するための指示情報；
たとえば信号を有用信号とするか干渉とするかの、各アンテナポートの信号の性質の指示情報；
各アンテナポートのＰＲＢ（ｐｈｙｓｉｃａｌ  ｒｅｓｏｕｒｃｅ  ｂｌｏｃｋ）集成の構成情報。
ＰＲＢ集成が構成されている場合、ユーザ端末は、集成されている１つのＰＲＢサブセットのＰＲＢを用いて統合的に干渉推定を行う。すなわち、ユーザ端末は、集成されているＰＲＢでの信号に同じプリコーディング方式が用いられていると仮定してもよい。
【００６７】
ここで、上記干渉測定参照信号リソースは、Ｎｐ個のアンテナポートの干渉測定参照信号に必要される時間周波数リソースを含む。また、上記干渉測定参照信号は、ＮＺＰ  ＣＳＩ−ＲＳ（Ｎｏｎ−ｚｅｒｏ  ｐｏｗｅｒ  ＣＳＩ−ＲＳ）であり、もちろん他用途用の参照信号であってもよいが、これについて、本開示の実施例では限定しない。また、上記干渉測定参照信号リソースは、ネットワーク側機器が自ら決定してもよく、複数のネットワーク側機器の協商を経て決定されてもよいが、これについて、本開示の実施例では限定しない。かつ上記干渉測定参照信号リソースは、１つまたは複数の干渉測定参照信号リソースである。
【００６８】
上記干渉測定パラメータは、ユーザ端末による上記干渉測定参照信号リソースの干渉測定の測定方式を指示することに用いられる。たとえば、干渉測定パラメータは、ユーザ端末がいかに干渉測定参照信号リソースに基づいて干渉測定を行うかを指示することに用いられる。また、上記干渉測定参照信号リソースは、ネットワーク側機器が自ら決定してもよく、複数のネットワーク側機器の協商を経て決定されてもよいが、これについて、本開示の実施例では限定しない。
【００６９】
また、ステップ２０３において、前記干渉測定パラメータおよび前記干渉測定参照信号に基づき、干渉信号の干渉推定値を算出することは、干渉測定パラメータおよび前記干渉測定参照信号に基づき、干渉信号の相関行列を特定し、干渉信号の相関行列を用いて干渉信号の干渉推定値を算出する。または、上記干渉測定パラメータに基づいて上記干渉信号の相関パラメータを特定し、当該相関パラメータと干渉測定参照信号を用いて干渉信号の干渉推定値を算出するなどであってもよいが、これついて、本開示の実施例では限定しない。
【００７０】
なお、本開示の実施例において、干渉測定参照信号は、ユーザ端末が干渉測定参照信号リソースで受信する信号である。干渉信号は、ユーザ端末の模擬信号であり、またはユーザ端末の仮定信号と理解される。たとえば、ユーザ端末は、ユーザ端末によるデータ伝送時の干渉信号を模擬または仮定する。干渉信号の干渉推定値を算出することによって、ユーザ端末によるデータ伝送の干渉状況を正確に予測し、ユーザ端末の伝送性能を高めることができる。
【００７１】
以上のステップによれば、ユーザ端末が干渉測定の補助に干渉測定パラメータを用いることによって、干渉測定の正確度を高め、さらにチャネル状態情報のフィードバック精度を高めることができる。かつ上記干渉測定パラメータがネットワーク側からユーザ端末に対し構成されるため、ネットワーク側機器は、干渉源のサービスの各種類の特性、たとえばサービス持続時間を取得することができ、ユーザ端末に対し対応する干渉測定パラメータを構成することができる。このように、ユーザ端末が上記干渉測定パラメータに基づいて算出した干渉推定値と、ユーザ端末の実際のデータ伝送時の干渉とは、整合する。かつネットワーク側機器がマルチユーザのＭＩＭＯ（Ｍｕｌｔｉｐｌｅ−Ｉｎｐｕｔ  Ｍｕｌｔｉｐｌｅ−Ｏｕｔｐｕｔ）スケジューリングの動的変化を取得することができるため、ユーザ端末は、マルチユーザのＭＩＭＯ（Ｍｕｌｔｉｐｌｅ−Ｉｎｐｕｔ  Ｍｕｌｔｉｐｌｅ−Ｏｕｔｐｕｔ）伝送について、同一セルで同じリソースを共有するユーザ同士の干渉を測定して干渉測定性能を高めることができる。
【００７２】
選択可能に、前記干渉測定パラメータは、前記干渉信号の空間特徴および／または強度特徴を指示することに用いられる。
【００７３】
ここで、上記空間特徴は、ユーザ端末が実際のデータ伝送時に受ける干渉信号の空間特徴と理解される。上記強度特徴は、信号強度、送信電力などの強度特徴であり、かつユーザ端末が実際のデータ伝送時に受ける干渉信号の強度特徴と理解される。
【００７４】
本開示の一部実施例において、ユーザ端末は、干渉信号の空間特徴および／または強度特徴を取得したため、干渉信号の干渉推定値をより正確に算出することができる。
【００７５】
選択可能に、前記強度特徴は、前記干渉測定参照信号の少なくとも１つのアンテナポートに対応する干渉信号の電力情報または幅情報（ａｍｐｌｉｔｕｄｅ  ｉｎｆｏｒｍａｔｉｏｎ）を含む。具体的に、前記干渉測定参照信号の少なくとも１つのアンテナポートに対応する干渉信号の電力情報または幅情報を含む。さらに、前記電力情報は、前記干渉信号と前記干渉測定参照信号の電力比の値であり、前記幅情報は、前記干渉信号と前記干渉測定参照信号の幅比（ａｍｐｌｉｔｕｄｅｒａｔｉｏ）の値である。このように、シグナリングオーバヘッドの節約ができる。
【００７６】
前記強度特徴が前記干渉信号と前記干渉測定参照信号の電力比の値であることを例とし（幅比の値の場合、方法が同じである）、当該比は、１つのセットの中で値を取る。１つのセットの例として、｛０，１／８，１／４，１／２，１，２，４，８｝、または｛０，１／４，１／２，１，２，４｝、または｛０，１／４｝、または｛０，１／２｝、または｛０，１｝が挙げられる。
【００７７】
当該セットは、基地局からハイレイヤシグナリングによって端末に対し構成され、または、基地局と端末の間で予め取り決められたセットであり、たとえばプロトコルの中で定義されている。
【００７８】
本開示の一部実施例において、ユーザ端末は、干渉信号強度特徴を取得したため、干渉信号の干渉推定値をより正確に算出することができる。干渉測定パラメータを
【数５】
2020535751.tif 000007
とする。ここで、
【数６】
2020535751.tif 000008
は、干渉測定参照信号の第ｎ個のアンテナポートに対応する干渉信号の送信電力と第ｎ個のアンテナポートの参照信号送信電力の比の値である。
【００７９】
選択可能に、前記干渉信号の空間特徴は、前記干渉信号送信のための相関行列またはプリコーディング行列を含む。
【００８０】
本開示の一部実施例において、ユーザ端末は、干渉信号送信のための相関行列またはプリコーディング行列を取得したため、干渉信号の干渉推定値をより正確に算出することができる。
【００８１】
選択可能に、前記相関行列は、対角行列であって、かつ各対角線上の元素の値が０ではない数値または０を取る。前記プリコーディング行列は、各列で１つの元素のみの値が０ではない数値を取り、残りが０であり、かつ、さらに、各行で１つの元素のみの値が０ではない数値を取り、残りが０である。
【００８２】
ここで、前記０ではない数値は、常数である。または、前記０ではない数値は、前記ユーザ端末が前記ネットワーク側機器から送信されたシグナリングに基づいて特定された数値である。ここで、前記相関行列とプリコーディング行列で０ではない数値は、同じであり、または異なる。たとえば１またはほかの数値である。
【００８３】
なお、対角線での元素の値が０ではない数値または０を取ることは、対角線でのすべての元素の値が０ではない数値を取ることや、対角線でのすべての元素の値が０を取ることに限定されない。対角線での各元素は、０ではない数値と０から値を取ると理解できる。たとえば、下記の相関行列が挙げられる。
【数７】
2020535751.tif 000009
【００８４】
本開示の一部実施例において、相関行列またはプリコーディング行列によって干渉信号の空間特徴を正確に特定し、干渉測定の正確性を高めることができる。
【００８５】
前記干渉信号の空間特徴が前記干渉信号送信のための相関行列またはプリコーディング行列を含む実施形態において、前記干渉測定パラメータは、以下の方式で前記干渉信号送信のための相関行列またはプリコーディング行列を指示する。
方式１：前記干渉測定パラメータは、少なくとも２つのＮｐ×Ｎｐ（Ｎｐ：前記干渉測定参照信号の送信アンテナポート数）の行列のうちの少なくとも１つの行列の指示情報である。
方式２：前記干渉測定パラメータは、Ｎｐ個のアンテナポートのうちのｎ（０＜ｎ≦Ｎｐ）個のアンテナポートの指示情報である。
方式３：前記干渉測定パラメータは、前記干渉信号送信のための相関行列である。
方式４：前記干渉測定パラメータは、Ｎｐ個のＮｐ×１次元のベクトルのうちのｋ（１以上の整数）個のベクトルの指示情報である。ここで、各ベクトルで１つの元素のみの値が０ではない数値を取り、残りが０である。
方式５：前記干渉測定パラメータは、Ｑ（Ｑ≦Ｎｐ）個の行列のうちの少なくとも１つの行列の指示情報である。ここで、前記Ｑ個の行列は、次元がそれぞれＮｐ×１、Ｎｐ×２、Ｎｐ×３、…、Ｎｐ×Ｑである行列を含み、かつ各行列の各列で１つの元素のみの値が０ではない数値を取り、残りが０である。または、各行列の各列で１つの元素のみの値が０ではない数値を取り、残りが０であり、かつ各行で１つの元素のみの値が０ではない数値を取り、残りが０である。
【００８６】
なお、本開示の実施例において、複数の行列は、コードブックと称されてもよい。すなわち、１つのコードブックに複数の行列を含み、各行列が１つのコードワードと称される。もちろん、一部の実施形態において、ベクトルの概念のみを有する場合、１つのベクトルは、１つのコードワードと称される。
【００８７】
ここで、上記方式１は、予め定義されたコードブックを用いて干渉測定パラメータを構成する方式と理解でき、具体的にポート選択コードブックを用いる。たとえば、Ｋ個のＮｐ×Ｎｐ次元の行列（コードワード）を含むと予め定義する。各行列は、対角行列であって、対角線での元素の値が１（またはほかの０ではない数値）または０である。当該コードブックには、最多で
【数８】
2020535751.tif 000010
個のコードワードを有する。たとえば、Ｎｐ＝４の場合、当該コードブックの中の一部のコードワードの例は、以下のように挙げられる。
【数９】
2020535751.tif 000011
【００８８】
このように、上記方式１によれば、干渉信号送信のための相関行列を正確にユーザ端末に指示して干渉測定の正確性を高めることができる。
【００８９】
上記方式２は、ポート指示方式で干渉測定パラメータを構成すると理解できる。かつ本開示の一部実施例において、ビットマップで指示する。たとえば、長さＮｐのビットマップを用い、各ビットが１つのアンテナポートに対応し、「１」を取ることは、対応するアンテナポートが選択されることを示す。もちろん、アンテナポート番号方式で指示してもよく、ｎ個のアンテナポートのうちの各アンテナポートの番号を端末に送信する。かつ干渉測定パラメータでｎ個のアンテナポートを指示することは、干渉測定パラメータによって干渉信号送信のための相関行列またはプリコーディング行列を指示すると理解できる。ｎ個のアンテナポートによって、ユーザ端末が干渉信号送信のための相関行列またはプリコーディング行列を得ることができるからである。
【００９０】
上記方式２によれば、干渉信号のアンテナポートを正確にユーザ端末に指示して干渉測定の正確性をさらに高める。
【００９１】
上記方式３では、上記干渉測定パラメータが干渉信号送信のための相関行列であり、かつ当該相関行列は、Ｎｐ×Ｎｐの対角行列であって、対角線での元素の値が１（またはほかの０ではない数値）または０を取る。たとえば、Ｎｐ＝４の場合、干渉信号送信のための相関行列の一部の取りうる値として、以下の例が挙げられる。
【数１０】
2020535751.tif 000012
【００９２】
このように、方式３によれば、干渉測定パラメータが前記干渉信号送信のための相関行列であるため、ユーザ端末の干渉測定の効率を高め、かつ干渉測定の正確性を保証することもできる。
【００９３】
上記方式４は、予め定義されたコードブックを用いて前記干渉測定パラメータを構成する方式として理解でき、具体的にポート選択コードブックを用いる。当該コードブックは、Ｎｐ個のＮｐ×１のベクトル（コードワード）を含み、または、最多でＮｐ個のコードワードを有すると理解する。各ベクトルの元素のうち１つのみの値は、１（またはほかの０ではない数値）を取り、ほかの元素がすべて０である。
【００９４】
方式４では、上記干渉測定パラメータによって干渉信号送信のための相関行列またはプリコーディング行列を正確に指示し、干渉測定の正確性を高めることができる。
【００９５】
上記方式５も、予め定義されたコードブックを用いて前記干渉測定パラメータを構成する方式として理解可能であり、具体的にポート選択コードブックを用いる。たとえば、上記コードブックは、次元がそれぞれＮｐ×１、Ｎｐ×２、Ｎｐ×３、…、Ｎｐ×Ｑ（Ｑ≦Ｎｐ）である行列（コードワード）を含む。各コードワードの各列で１つの元素のみの値が１（またはほかの０ではない数値）を取り、ほかの元素がすべて０である。さらに、各コードワードの各行で１つの元素のみの値が１（またはほかの０ではない数値）を取り、ほかの元素がすべて０である。たとえば、Ｎｐ＝４の場合、当該コードブックの中の一部のコードワードの例は、以下のように挙げられる。
Ｑ＝１のコードワード（すなわちＮｐ×１次元）
【数１１】
2020535751.tif 000013
Ｑ＝２のコードワード（すなわちＮｐ×２次元）
【数１２】
2020535751.tif 000014
Ｑ＝３のコードワード（すなわちＮｐ×３次元）
【数１３】
2020535751.tif 000015
Ｑ＝４のコードワード（すなわちＮｐ×４次元）
【数１４】
2020535751.tif 000016
【００９６】
方式５では、上記干渉測定パラメータによって干渉信号送信のための相関行列またはプリコーディング行列を正確に指示し、干渉測定の正確性を高めることができる。
【００９７】
上記実施形態において、多種類の方式でユーザ端末に対し柔軟に干渉測定パラメータを構成することが実現され、干渉測定の正確性を保証すると同時に、異なるサービスやシーンのリクエストに適応するようにシステムの柔軟性を高めることもできる。
【００９８】
選択可能に、前記ユーザ端末が、前記干渉測定パラメータおよび前記干渉測定参照信号に基づき、干渉信号の干渉推定値を算出することは、前記ユーザ端末が、前記干渉測定パラメータおよび前記干渉測定参照信号に基づき、干渉信号受信のための相関行列を特定し、前記干渉信号受信のための相関行列を用いて前記干渉信号の干渉推定値を算出することを含む。
【００９９】
上記の干渉信号受信のための相関行列を特定することは、上記干渉測定参照信号によるチャネル推定のチャネル推定値、および上記干渉測定パラメータの指示情報に基づいて、上記干渉信号受信のための相関行列を特定する。前記干渉信号受信のための相関行列を用いて前記干渉信号の干渉推定値を算出することは、当該相関行列の対角線元素を用いて干渉信号の干渉推定値を算出し、または、当該相関行列のすべての元素を用いて干渉信号の干渉推定値を算出するが、これについて、本開示の実施例では限定しない。
【０１００】
本開示の一部実施例において、前記干渉信号受信のための相関行列を用いて前記干渉信号の干渉推定値を算出するため、さらに干渉測定の正確性を高めることができる。
【０１０１】
選択可能に、前記ユーザ端末が、前記干渉測定パラメータおよび前記干渉測定参照信号に基づき、干渉信号受信のための相関行列を特定し、前記干渉信号受信のための相関行列を用いて前記干渉信号の干渉推定値を算出することは、前記ユーザ端末が、前記干渉測定パラメータおよび前記干渉測定参照信号に基づき、測定帯域幅内の各サブキャリアまたはリソースユニットＲＥでの前記干渉信号受信のための相関行列を特定し、前記測定帯域幅内のすべてのサブキャリアまたはＲＥでの前記干渉信号受信のための相関行列を平均演算を行い、平均演算結果を用いて前記干渉信号の干渉推定値を算出することを含む。
【０１０２】
本開示の一部実施例において、測定帯域幅内のサブキャリアまたはＲＥの相関行列の平均演算が実現され、より安定な干渉推定値が得られる。
【０１０３】
選択可能に、前記ユーザ端末が、前記干渉測定パラメータおよび前記干渉測定参照信号に基づき、前記干渉信号受信のための相関行列を特定し、前記干渉信号受信のための相関行列を用いて前記干渉信号の干渉推定値を算出することは、前記ユーザ端末が、前記干渉測定参照信号を用いてチャネル推定を行い、チャネル推定値と前記干渉測定パラメータに基づき、前記干渉信号受信のための相関行列を特定し、前記干渉信号受信のための相関行列を用いて前記干渉信号の干渉推定値を算出すること、または、前記ユーザ端末が、前記干渉測定パラメータに基づき、干渉測定が行われるアンテナポートを特定し、前記干渉測定参照信号を用いて、干渉測定が行われるアンテナポートのチャネル推定を行い、チャネル推定値に基づき、前記干渉信号受信のための相関行列を特定し、前記干渉信号受信のための相関行列を用いて前記干渉信号の干渉推定値を算出することを含む。
【０１０４】
上記２種類の方式によって、干渉信号の干渉推定値を正確に算出することができる。
【０１０５】
なお、本開示の実施例において、前記干渉信号受信のための相関行列を特定することは、上記２種類の方式に限定されず、ほかの方式で干渉信号受信のための相関行列を特定してもよいが、これについて、本開示の実施例では限定しない。
【０１０６】
選択可能に、前記ユーザ端末が、前記干渉測定参照信号を用いてチャネル推定を行い、チャネル推定値と前記干渉測定パラメータに基づき、前記干渉信号受信のための相関行列を特定し、前記干渉信号受信のための相関行列を用いて前記干渉信号の干渉推定値を算出することは、前記ユーザ端末が、前記干渉測定参照信号を用いてチャネル推定を行ってチャネル推定値Ｈを得、前記干渉測定パラメータを用いて、前記干渉信号送信のための相関行列Ｒを特定し、前記干渉信号受信のための相関行列をＲｒｒ＝ＨＲＨＨに特定し、前記Ｒｒｒを用いて前記干渉信号の干渉推定値を算出すること、または、前記ユーザ端末が、前記干渉測定参照信号を用いてチャネル推定を行ってチャネル推定値Ｈを得、前記干渉測定パラメータを用いて前記干渉信号の電力行列Ｐを特定し、前記干渉信号受信のための相関行列をＲｒｒ＝ＨＰＨＨに特定し、前記Ｒｒｒを用いて前記干渉信号の干渉推定値を算出することを含む。
【０１０７】
たとえば、上記干渉信号の電力行列Ｐは、以下の行列である。
【数１５】
2020535751.tif 000017
【０１０８】
以上の強度特徴に関する記載から、上記干渉測定パラメータが
【数１６】
2020535751.tif 000018
であると分かる。ここで、
【数１７】
2020535751.tif 000019
は、干渉測定参照信号の第ｎ個のアンテナポートに対応する干渉信号の送信電力と第ｎ個のアンテナポートの参照信号送信電力の比の値である。上記相関行列Ｐは、以下の行列である。
【数１８】
2020535751.tif 000020
すなわち、
【数１９】
2020535751.tif 000021
【０１０９】
ｑｎ＝０の場合、第ｎ個のアンテナポートに対応する干渉信号の干渉を算入しないことに相当する。
【０１１０】
選択可能に、前記ユーザ端末が、前記干渉測定パラメータに基づき、干渉測定が行われるアンテナポートを特定し、前記干渉測定参照信号を用いて、干渉測定が行われるアンテナポートのチャネル推定を行い、チャネル推定値に基づき、前記干渉信号受信のための相関行列を特定し、前記干渉信号受信のための相関行列を用いて前記干渉信号の干渉推定値を算出することは、前記ユーザ端末が、前記干渉測定パラメータに基づき、干渉測定が行われるアンテナポートを特定し、前記干渉測定参照信号を用いて、干渉測定が行われるアンテナポートのチャネル推定を行ってチャネル推定値Ｈｉを得、前記干渉信号受信のための相関行列をＲｒｒ＝ＨｉＨｉＨに特定し、前記Ｒｒｒを用いて前記干渉信号の干渉推定値を算出することを含み、ここで、（）Ｈは、共役転置を示す。
【０１１１】
ここで、上記Ｈは、Ｎｒ×Ｎｐ行列であり、上記Ｈｉは、Ｎｒ×ｎ行列である。当該ＨとＨｉは、１つのサブキャリアまたは１つのＲＥでのチャネル推定値である。すなわち、任意のサブキャリアまたはＲＥについて、上記方式で各自のチャネル推定値と干渉信号受信のための相関行列が得られる。
【０１１２】
選択可能に、前記干渉測定パラメータを用いて前記干渉測定参照信号送信のための相関行列Ｒを特定することは、前記干渉測定パラメータが少なくとも２つのＮｐ×Ｎｐの行列のうちの１つの行列の指示情報であれば、前記干渉測定パラメータに指示される行列を、前記干渉信号送信のための相関行列Ｒに特定すること、または、前記干渉測定パラメータが少なくとも２つのＮｐ×Ｎｐの行列のうちの少なくとも２つの行列の指示情報であれば、前記干渉測定パラメータに指示される少なくとも２つの行列の和を、前記干渉信号送信のための相関行列Ｒに特定すること、または、前記干渉測定パラメータがＮｐ個のアンテナポートのうちのｎ個のアンテナポートの指示情報であれば、構造次元がＮｐである対角行列（前記対角行列の対角線で、前記干渉測定パラメータに指示されるアンテナポートに対応する位置の値が０ではない数値を取り、残りが０である）を前記干渉信号送信のための相関行列Ｒにすること、または、前記干渉測定パラメータが前記干渉信号送信のための相関行列であれば、当該相関行列を前記干渉信号送信のための相関行列Ｒに特定すること、または、前記干渉測定パラメータがＮｐ個のＮｐ×１次元のベクトルのうちのｋ個のベクトルの指示情報であれば、前記干渉信号送信のための相関行列
【数２０】
2020535751.tif 000022
（νｉ：前記干渉測定パラメータに指示される第ｉ（ｉ＝１，２，３…ｋ）個のコードワード）と特定すること、または、前記干渉測定パラメータがＱ個の行列のうちの１つの行列の指示情報であれば、前記干渉信号送信のための相関行列Ｒ＝ＶＶＨ（Ｖ：前記干渉測定パラメータに指示される行列）と特定すること、または、前記干渉測定パラメータがＱ個の行列のうちのｍ個の行列の指示情報であれば、前記干渉信号送信のための相関行列
【数２１】
2020535751.tif 000023
（νｉ：前記干渉測定パラメータに指示される第ｉ（ｉ＝１，…ｍ（２以上の整数））個の行列）と特定することを含む。
【０１１３】
本開示の一部実施例において、異なる状況に応じて、前記干渉信号送信のための相関行列を柔軟に特定して干渉測定の柔軟性を高めることが実現される。なお、本開示の一部実施例における干渉測定パラメータは、以上紹介した干渉測定パラメータの５種類の方式を参照し、ここでは繰り返して記載しない。
【０１１４】
選択可能に、前記ユーザ端末が、前記干渉測定パラメータに基づき、干渉測定が行われるアンテナポートを特定することは、前記干渉測定パラメータが少なくとも２つのＮｐ×Ｎｐの行列のうちの少なくとも１つの行列の指示情報であれば、前記干渉測定パラメータに指示される行列の対角線での０ではない数値を取る元素に対応するアンテナポートを、干渉測定が行われるアンテナポートに特定すること、または、前記干渉測定パラメータがＮｐ個のアンテナポートのうちのｎ個のアンテナポートの指示情報であれば、前記干渉測定パラメータに指示されるｎ個のアンテナポートを、干渉測定が行われるアンテナポートに特定すること、または、前記干渉測定パラメータが前記干渉測定参照信号送信のための相関行列であれば、前記干渉測定パラメータに指示される相関行列の対角線での０ではない数値を取る元素に対応するアンテナポートを、干渉測定が行われるアンテナポートに特定すること、または、前記干渉測定パラメータがＮｐ個のＮｐ×１次元のベクトルのうちのｋ個のベクトルの指示情報であれば、前記ｋ個のベクトルでの０ではない数値を取る元素に対応するアンテナポートを、干渉測定が行われるアンテナポートに特定すること、または、前記干渉測定パラメータがＱ個の行列のうちの少なくとも１つの行列の指示情報であれば、前記干渉測定パラメータに指示される行列での０ではない数値を取る元素に対応するアンテナポートを、干渉測定が行われるアンテナポートに特定することを含む。
【０１１５】
本開示の一部実施例において、異なる状況に応じて、干渉測定が行われるアンテナポートを柔軟に特定して干渉測定の柔軟性を高めることが実現される。なお、本開示の一部実施例における干渉測定パラメータは、以上紹介した干渉測定パラメータの５種類の方式を参照し、ここでは繰り返して記載しない。
【０１１６】
選択可能に、前記方法において、前記干渉推定値に基づいてチャネル状態情報を算出し、前記チャネル状態情報をネットワーク側にフィードバックすることをさらに含む。
【０１１７】
当該ステップによれば、チャネル状態情報のフィードバック精度の向上が実現される。
【０１１８】
なお、本開示の実施例で紹介した複数種類の選択可能な実施形態は、互いに組み合わせて実現されてもよく、単独で実現されてもよいが、これに対し、本開示の実施例において限定しない。
【０１１９】
本開示の一部実施例において、ユーザ端末は、ネットワーク側機器から送信される干渉測定参照信号リソースの構成情報、および干渉測定パラメータを受信する。前記ユーザ端末は、前記構成情報に基づき、前記干渉測定参照信号リソースで干渉測定参照信号を受信する。前記ユーザ端末は、前記干渉測定パラメータおよび前記干渉測定参照信号に基づき、干渉信号の干渉推定値を算出する。このように、ユーザ端末が干渉測定の補助に干渉測定パラメータを使用することによって、干渉測定の正確度を高めることができる。
【０１２０】
図３を参照する。図３は、本開示の一部実施例における干渉測定方法のフローチャートである。図３に示すように、ネットワーク側機器が、干渉測定参照信号リソースの構成情報、および干渉測定パラメータを生成するステップ３０１と、前記ネットワーク側機器が、前記構成情報および前記干渉測定パラメータをユーザ端末に送信するステップ３０２とを含み、よって、前記ユーザ端末が、前記干渉測定パラメータおよび前記干渉測定参照信号に基づき、干渉信号の干渉推定値を算出する。
【０１２１】
選択可能に、前記干渉測定パラメータは、前記干渉信号の空間特徴および／または強度特徴を指示することに用いられる。
【０１２２】
選択可能に、前記強度特徴は、前記干渉測定参照信号の少なくとも１つのアンテナポートに対応する干渉信号の電力情報または幅情報を含む。
【０１２３】
選択可能に、前記電力情報は、前記干渉信号と前記干渉測定参照信号の電力比の値であり、前記幅情報は、前記干渉信号と前記干渉測定参照信号の幅比の値である。
【０１２４】
選択可能に、前記干渉信号の空間特徴は、前記干渉信号送信のための相関行列またはプリコーディング行列を含む。
【０１２５】
選択可能に、前記相関行列は、対角行列であって、かつ各対角線上の元素の値が０ではない数値または０を取る。前記プリコーディング行列は、各列で１つの元素のみの値が０ではない数値を取り、残りが０である。
【０１２６】
選択可能に、前記０ではない数値は、常数である。または、前記０ではない数値は、前記ユーザ端末が前記ネットワーク側機器から送信されたシグナリングに基づいて特定された数値である。ここで、前記相関行列とプリコーディング行列で０ではない数値は、同じであり、または異なる。
【０１２７】
選択可能に、前記干渉測定パラメータは、少なくとも２つのＮｐ×Ｎｐ（Ｎｐ：前記干渉測定参照信号の送信アンテナポート数）の行列のうちの少なくとも１つの行列の指示情報である。または、前記干渉測定パラメータは、Ｎｐ個のアンテナポートのうちのｎ（０＜ｎ≦Ｎｐ）個のアンテナポートの指示情報である。または、前記干渉測定パラメータは、前記干渉信号送信のための相関行列である。または、前記干渉測定パラメータは、Ｎｐ個のＮｐ×１次元のベクトルのうちのｋ（１以上の整数）個のベクトルの指示情報である。ここで、各ベクトルで１つの元素のみの値が０ではない数値を取り、残りが０である。または、前記干渉測定パラメータは、Ｑ（Ｑ≦Ｎｐ）個の行列のうちの少なくとも１つの行列の指示情報である。ここで、前記Ｑ個の行列は、次元がそれぞれＮｐ×１、Ｎｐ×２、Ｎｐ×３、…、Ｎｐ×Ｑである行列を含み、かつ各行列の各列で１つの元素のみの値が０ではない数値を取り、残りが０である。または、各行列の各列で１つの元素のみの値が０ではない数値を取り、残りが０であり、かつ各行で１つの元素のみの値が０ではない数値を取り、残りが０である。
【０１２８】
選択可能に、前記方法において、前記ユーザ端末から前記干渉推定値に基づいて算出されて送信されるチャネル状態情報を、前記ネットワーク側機器が受信することをさらに含む。
【０１２９】
なお、本実施例は、図２に示す実施例に対応するネットワーク側機器の実施形態として、その具体的な実施形態について、図２に示す実施例の関連説明を参照し、重複な説明を避けるために本実施例において繰り返して記載せず、かつ同じ効果を奏することもできる。
【０１３０】
図４を参照する。図４は、本開示の一部実施例におけるユーザ端末の構造図である。図５に示すように、ユーザ端末４００は、ネットワーク側機器から送信される干渉測定参照信号リソースの構成情報、および干渉測定パラメータを受信するための第１受信モジュール４０１と、前記構成情報に基づき、前記干渉測定参照信号リソースで干渉測定参照信号を受信するための第２受信モジュール４０２と、前記干渉測定パラメータおよび前記干渉測定参照信号に基づき、干渉信号の干渉推定値を算出するための算出モジュール４０３とを含む。
【０１３１】
選択可能に、前記強度特徴は、前記干渉測定参照信号の少なくとも１つのアンテナポートに対応する干渉信号の電力情報または幅情報を含む。
【０１３２】
選択可能に、前記電力情報は、前記干渉信号と前記干渉測定参照信号の電力比の値であり、前記幅情報は、前記干渉信号と前記干渉測定参照信号の幅比の値である。
【０１３３】
選択可能に、前記干渉測定パラメータは、前記干渉信号の空間特徴および／または強度特徴を指示することに用いられる。
【０１３４】
選択可能に、前記干渉信号の空間特徴は、前記干渉信号送信のための相関行列またはプリコーディング行列を含む。
【０１３５】
選択可能に、前記相関行列は、対角行列であって、かつ各対角線上の元素の値が０ではない数値または０を取る。前記プリコーディング行列は、各列で１つの元素のみの値が０ではない数値を取り、残りが０である。
【０１３６】
選択可能に、前記０ではない数値は、常数である。または、前記０ではない数値は、前記ユーザ端末が前記ネットワーク側機器から送信されたシグナリングに基づいて特定された数値である。ここで、前記相関行列とプリコーディング行列で０ではない数値は、同じであり、または異なる。
【０１３７】
選択可能に、前記干渉測定パラメータは、少なくとも２つのＮｐ×Ｎｐ（Ｎｐ：前記干渉測定参照信号の送信アンテナポート数）の行列のうちの少なくとも１つの行列の指示情報である。または、前記干渉測定パラメータは、Ｎｐ個のアンテナポートのうちのｎ（０＜ｎ≦Ｎｐ）個のアンテナポートの指示情報である。または、前記干渉測定パラメータは、前記干渉信号送信のための相関行列である。または、前記干渉測定パラメータは、Ｎｐ個のＮｐ×１次元のベクトルのうちのｋ（１以上の整数）個のベクトルの指示情報である。ここで、各ベクトルで１つの元素のみの値が０ではない数値を取り、残りが０である。または、前記干渉測定パラメータは、Ｑ（Ｑ≦Ｎｐ）個の行列のうちの少なくとも１つの行列の指示情報である。ここで、前記Ｑ個の行列は、次元がそれぞれＮｐ×１、Ｎｐ×２、Ｎｐ×３、…、Ｎｐ×Ｑである行列を含み、かつ各行列の各列で１つの元素のみの値が０ではない数値を取り、残りが０である。または、各行列の各列で１つの元素のみの値が０ではない数値を取り、残りが０であり、かつ各行で１つの元素のみの値が０ではない数値を取り、残りが０である。
【０１３８】
選択可能に、前記算出モジュール４０３は、前記干渉測定パラメータおよび前記干渉測定参照信号に基づき、干渉信号受信のための相関行列を特定し、前記干渉信号受信のための相関行列を用いて前記干渉信号の干渉推定値を算出することに用いられる。
【０１３９】
選択可能に、前記算出モジュール４０３は、前記干渉測定パラメータおよび前記干渉測定参照信号に基づき、測定帯域幅内の各サブキャリアまたはリソースユニットＲＥでの前記干渉信号受信のための相関行列を特定し、前記測定帯域幅内のすべてのサブキャリアまたはＲＥでの前記干渉信号受信のための相関行列を平均演算を行い、平均演算結果を用いて前記干渉信号の干渉推定値を算出することに用いられる。
【０１４０】
選択可能に、算出モジュール４０３は、前記ユーザ端末が、前記干渉測定参照信号を用いてチャネル推定を行い、チャネル推定値と前記干渉測定パラメータに基づき、前記干渉信号受信のための相関行列を特定し、前記干渉信号受信のための相関行列を用いて前記干渉信号の干渉推定値を算出することに用いられる。または、前記算出モジュール４０３は、前記干渉測定パラメータに基づき、干渉測定が行われるアンテナポートを特定し、前記干渉測定参照信号を用いて、干渉測定が行われるアンテナポートのチャネル推定を行い、チャネル推定値に基づき、前記干渉信号受信のための相関行列を特定し、前記干渉信号受信のための相関行列を用いて前記干渉信号の干渉推定値を算出することに用いられる。
【０１４１】
選択可能に、算出モジュール４０３は、前記干渉測定参照信号を用いてチャネル推定を行ってチャネル推定値Ｈを得、前記干渉測定パラメータを用いて、前記干渉信号送信のための相関行列Ｒを特定し、前記干渉信号受信のための相関行列をＲｒｒ＝ＨＲＨＨに特定し、前記Ｒｒｒを用いて前記干渉信号の干渉推定値を算出することに用いられる。または、前記干渉測定参照信号を用いてチャネル推定を行ってチャネル推定値Ｈを得、前記干渉測定パラメータを用いて前記干渉信号の電力行列Ｐを特定し、前記干渉信号受信のための相関行列をＲｒｒ＝ＨＰＨＨに特定し、前記Ｒｒｒを用いて前記干渉信号の干渉推定値を算出することに用いられる。算出モジュール４０３は、前記干渉測定パラメータに基づき、干渉測定が行われるアンテナポートを特定し、前記干渉測定参照信号を用いて、干渉測定が行われるアンテナポートのチャネル推定を行ってチャネル推定値Ｈｉを得、前記干渉信号受信のための相関行列をＲｒｒ＝ＨｉＨｉＨに特定し、前記Ｒｒｒを用いて前記干渉信号の干渉推定値を算出することに用いられる。ここで、（）Ｈは、共役転置を示す。
【０１４２】
選択可能に、前記干渉測定パラメータを用いて前記干渉測定参照信号送信のための相関行列Ｒを特定することは、前記干渉測定パラメータが少なくとも２つのＮｐ×Ｎｐの相関行列のうちの１つの相関行列の指示情報であれば、前記干渉測定パラメータに指示される相関行列を、前記干渉信号送信のための相関行列Ｒに特定すること、または、前記干渉測定パラメータが少なくとも２つのＮｐ×Ｎｐの相関行列のうちの少なくとも２つの相関行列の指示情報であれば、前記干渉測定パラメータに指示される少なくとも２つの相関行列の和を、前記干渉信号送信のための相関行列Ｒに特定すること、または、前記干渉測定パラメータがＮｐ個のアンテナポートのうちのｎ個のアンテナポートの指示情報であれば、構造次元がＮｐである対角行列（前記対角行列の対角線で、前記干渉測定パラメータに指示されるアンテナポートに対応する位置の値が０ではない数値を取り、残りが０である）を前記干渉信号送信のための相関行列Ｒにすること、または、前記干渉測定パラメータが前記干渉信号送信のための相関行列であれば、当該相関行列を前記干渉信号送信のための相関行列Ｒに特定すること、または、前記干渉測定パラメータがＮｐ個のＮｐ×１次元のベクトルのうちのｋ個のベクトルの指示情報であれば、前記干渉信号送信のための相関行列
【数２２】
2020535751.tif 000024
（νｉ：前記干渉測定パラメータに指示される第ｉ（ｉ＝１，２，３…ｋ）個のコードワード）と特定すること、または、前記干渉測定パラメータがＱ個の行列のうちの１つの行列の指示情報であれば、前記干渉信号送信のための相関行列Ｒ＝ＶＶＨ（Ｖ：前記干渉測定パラメータに指示される行列）と特定すること、または、前記干渉測定パラメータがＱ個の行列のうちのｍ個の行列の指示情報であれば、前記干渉信号送信のための相関行列
【数２３】
2020535751.tif 000025
（νｉ：前記干渉測定パラメータに指示される第ｉ（ｉ＝１，…ｍ（２以上の整数））個の行列）と特定することを含む。
【０１４３】
選択可能に、前記ユーザ端末が、前記干渉測定パラメータに基づき、干渉測定が行われるアンテナポートを特定することは、前記干渉測定パラメータが少なくとも２つのＮｐ×Ｎｐの相関行列のうちの少なくとも１つの相関行列の指示情報であれば、前記干渉測定パラメータに指示される相関行列の対角線での０ではない数値を取る元素に対応するアンテナポートを、干渉測定が行われるアンテナポートに特定すること、または、前記干渉測定パラメータがＮｐ個のアンテナポートのうちのｎ個のアンテナポートの指示情報であれば、前記干渉測定パラメータに指示されるｎ個のアンテナポートを、干渉測定が行われるアンテナポートに特定すること、または、前記干渉測定パラメータが前記干渉測定参照信号送信のための相関行列であれば、前記干渉測定パラメータに指示される相関行列の対角線での０ではない数値を取る元素に対応するアンテナポートを、干渉測定が行われるアンテナポートに特定すること、または、前記干渉測定パラメータがＮｐ個のＮｐ×１次元のベクトルのうちのｋ個のベクトルの指示情報であれば、前記ｋ個のベクトルのうち０ではない数値を取る元素に対応するアンテナポートを、干渉測定が行われるアンテナポートに特定すること、または、前記干渉測定パラメータがＱ個の行列のうちの少なくとも１つの行列の指示情報であれば、前記干渉測定パラメータに指示される行列での０ではない数値を取る元素に対応するアンテナポートを、干渉測定が行われるアンテナポートに特定することを含む。
【０１４４】
選択可能に、図５に示すように、ユーザ端末４００は、前記干渉推定値に基づいてチャネル状態情報を算出し、前記チャネル状態情報をネットワーク側にフィードバックするためのフィードバックモジュール４０４をさらに含む。
【０１４５】
なお、本実施例における上記ユーザ端末４００は、本開示の一部実施例における方法実施例の任意の実施形態のユーザ端末であってもよい。本開示の一部実施例における方法実施例のユーザ端末の任意の実施形態を、本実施例における上記ユーザ端末４００によって実現可能であり、かつ同じ効果を奏するため、ここでは繰り返して記載しない。
【０１４６】
図６を参照する。図６は、本開示の一部実施例におけるネットワーク側機器の構造図である。図６に示すように、ネットワーク側機器６００は、干渉測定参照信号リソースの構成情報、および干渉測定パラメータを生成するための生成モジュール６０１と、前記構成情報および前記干渉測定パラメータをユーザ端末に送信するための送信モジュール６０２とを含み、よって、前記ユーザ端末が、前記干渉測定パラメータおよび前記干渉測定参照信号に基づき、干渉信号の干渉推定値を算出する。
【０１４７】
選択可能に、前記干渉測定パラメータは、前記干渉信号の空間特徴および／または強度特徴を指示することに用いられる。
【０１４８】
選択可能に、前記強度特徴は、前記干渉測定参照信号の少なくとも１つのアンテナポートに対応する干渉信号の電力情報または幅情報を含む。
【０１４９】
選択可能に、前記電力情報は、前記干渉信号と前記干渉測定参照信号の電力比の値であり、前記幅情報は、前記干渉信号と前記干渉測定参照信号の幅比の値である。
【０１５０】
選択可能に、前記干渉信号の空間特徴は、前記干渉信号送信のための相関行列またはプリコーディング行列を含む。
【０１５１】
選択可能に、前記相関行列は、対角行列であって、かつ各対角線上の元素の値が０ではない数値または０を取る。前記プリコーディング行列は、各列で１つの元素のみの値が０ではない数値を取り、残りが０である。
【０１５２】
選択可能に、前記０ではない数値は、常数である。または、前記０ではない数値は、前記ユーザ端末が前記ネットワーク側機器から送信されたシグナリングに基づいて特定された数値である。ここで、前記相関行列とプリコーディング行列で０ではない数値は、同じであり、または異なる。
【０１５３】
選択可能に、前記干渉測定パラメータは、少なくとも２つのＮｐ×Ｎｐ（Ｎｐ：前記干渉測定参照信号の送信アンテナポート数）の行列のうちの少なくとも１つの行列の指示情報である。または、前記干渉測定パラメータは、Ｎｐ個のアンテナポートのうちのｎ（０＜ｎ≦Ｎｐ）個のアンテナポートの指示情報である。または、前記干渉測定パラメータは、前記干渉信号送信のための相関行列である。または、前記干渉測定パラメータは、Ｎｐ個のＮｐ×１次元のベクトルのうちのｋ（１以上の整数）個のベクトルの指示情報である。ここで、各ベクトルで１つの元素のみの値が０ではない数値を取り、残りが０である。または、前記干渉測定パラメータは、Ｑ（Ｑ≦Ｎｐ）個の行列のうちの少なくとも１つの行列の指示情報である。ここで、前記Ｑ個の行列は、次元がそれぞれＮｐ×１、Ｎｐ×２、Ｎｐ×３、…、Ｎｐ×Ｑである行列を含み、かつ各行列の各列で１つの元素のみの値が０ではない数値を取り、残りが０である。または、各行列の各列で１つの元素のみの値が０ではない数値を取り、残りが０であり、かつ各行で１つの元素のみの値が０ではない数値を取り、残りが０である。
【０１５４】
選択可能に、図７に示すように、ネットワーク側機器６００は、前記ユーザ端末から前記干渉推定値に基づいて算出されて送信されるチャネル状態情報を受信するための受信モジュール６０３をさらに含む。
【０１５５】
図８を参照する。図８は、本開示の一部実施例における別のユーザ端末の構造図である。図８に示すように、当該ユーザ端末は、トランシーバ８１０と、メモリ８２０と、プロセッサ８００と、前記メモリ８２０に記憶されて前記プロセッサで実行可能なコンピュータプログラムを含む。前記トランシーバ８１０は、ネットワーク側機器から送信される干渉測定参照信号リソースの構成情報、および干渉測定パラメータを受信することに用いられる。前記トランシーバ８１０は、さらに、前記構成情報に基づき、前記干渉測定参照信号リソースで干渉測定参照信号を受信することに用いられる。前記トランシーバ８１０は、さらに、前記干渉測定パラメータおよび前記干渉測定参照信号に基づき、干渉信号の干渉推定値を算出することに用いられる。または、前記トランシーバ８１０は、ネットワーク側機器から送信される干渉測定参照信号リソースの構成情報、および干渉測定パラメータを受信することに用いられる。前記トランシーバ８１０は、さらに、前記構成情報に基づき、前記干渉測定参照信号リソースで干渉測定参照信号を受信することに用いられる。前記プロセッサ８００は、メモリからプログラムを読み取ることによって、前記干渉測定パラメータおよび前記干渉測定参照信号に基づき、干渉信号の干渉推定値を算出するプロセスを実行することに用いられる。
【０１５６】
以上から、前記干渉測定パラメータおよび前記干渉測定参照信号に基づいて干渉信号の干渉推定値を算出することは、トランシーバ８１０またはプロセッサ８００によって実行されることが分かる。
【０１５７】
ここで、トランシーバ８１０は、プロセッサ８００による制御でデータを送受信することに用いられる。
【０１５８】
図８において、バスアーキテクチャは、任意数の相互接続するバスとブリッジを含み、具体的に、プロセッサ８００をはじめとする１つ又は複数のプロセッサとメモリ８２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ８１０は、複数の部品であってもよく、即ち送信機と受信機を含み、伝送媒体でほかの各種類の装置と通信するユニットとして提供される。
【０１５９】
プロセッサ８００は、バスアーキテクチャと通常の処理を管理する。メモリ８２０は、プロセッサ８００による操作実行に使用されるデータを記憶できる。
【０１６０】
なお、メモリ８２０は、ユーザ端末の１つの機器のみに限定されない。将来、メモリ８２０とプロセッサ８００は、異なる地理位置に離間して位置してもよい。
【０１６１】
選択可能に、前記干渉測定パラメータは、前記干渉信号の空間特徴および／または強度特徴を指示することに用いられる。
【０１６２】
選択可能に、前記強度特徴は、前記干渉測定参照信号の少なくとも１つのアンテナポートに対応する干渉信号の電力情報または幅情報を含む。
【０１６３】
選択可能に、前記電力情報は、前記干渉信号と前記干渉測定参照信号の電力比の値であり、前記幅情報は、前記干渉信号と前記干渉測定参照信号の幅比の値である。
【０１６４】
選択可能に、前記干渉信号の空間特徴は、前記干渉信号送信のための相関行列またはプリコーディング行列を含む。
【０１６５】
選択可能に、前記相関行列は、対角行列であって、かつ各対角線上の元素の値が０ではない数値または０を取る。前記プリコーディング行列は、各列で１つの元素のみの値が０ではない数値を取り、残りが０である。
【０１６６】
選択可能に、前記０ではない数値は、常数である。または、前記０ではない数値は、前記ユーザ端末が前記ネットワーク側機器から送信されたシグナリングに基づいて特定された数値である。ここで、前記相関行列とプリコーディング行列で０ではない数値は、同じであり、または異なる。
【０１６７】
選択可能に、前記干渉測定パラメータは、少なくとも２つのＮｐ×Ｎｐ（Ｎｐ：前記干渉測定参照信号の送信アンテナポート数）の行列のうちの少なくとも１つの行列の指示情報である。または、前記干渉測定パラメータは、Ｎｐ個のアンテナポートのうちのｎ（０＜ｎ≦Ｎｐ）個のアンテナポートの指示情報である。または、前記干渉測定パラメータは、前記干渉信号送信のための相関行列である。または、前記干渉測定パラメータは、Ｎｐ個のＮｐ×１次元のベクトルのうちのｋ（１以上の整数）個のベクトルの指示情報である。ここで、各ベクトルで１つの元素のみの値が０ではない数値を取り、残りが０である。または、前記干渉測定パラメータは、Ｑ（Ｑ≦Ｎｐ）個の行列のうちの少なくとも１つの行列の指示情報である。ここで、前記Ｑ個の行列は、次元がそれぞれＮｐ×１、Ｎｐ×２、Ｎｐ×３、…、Ｎｐ×Ｑである行列を含み、かつ各行列の各列で１つの元素のみの値が０ではない数値を取り、残りが０である。または、各行列の各列で１つの元素のみの値が０ではない数値を取り、残りが０であり、かつ各行で１つの元素のみの値が０ではない数値を取り、残りが０である。
【０１６８】
選択可能に、前記トランシーバ８１０またはプロセッサ８００によって実行される、前記干渉測定パラメータおよび前記干渉測定参照信号に基づき、干渉信号の干渉推定値を算出することは、前記干渉測定パラメータおよび前記干渉測定参照信号に基づき、干渉信号受信のための相関行列を特定し、前記干渉信号受信のための相関行列を用いて前記干渉信号の干渉推定値を算出することを含む。
【０１６９】
選択可能に、前記トランシーバ８１０またはプロセッサ８００によって実行される、前記干渉測定パラメータおよび前記干渉測定参照信号に基づき、前記干渉信号受信のための相関行列を特定し、前記干渉信号受信のための相関行列を用いて前記干渉信号の干渉推定値を算出することは、前記干渉測定パラメータおよび前記干渉測定参照信号に基づき、測定帯域幅内の各サブキャリアまたはリソースユニットＲＥでの前記干渉信号受信のための相関行列を特定し、前記測定帯域幅内のすべてのサブキャリアまたはＲＥでの前記干渉信号受信のための相関行列を平均演算を行い、平均演算結果を用いて前記干渉信号の干渉推定値を算出することを含む。
【０１７０】
選択可能に、前記トランシーバ８１０またはプロセッサ８００によって実行される、前記干渉測定パラメータおよび前記干渉測定参照信号に基づき、前記干渉信号受信のための相関行列を特定し、前記干渉信号受信のための相関行列を用いて前記干渉信号の干渉推定値を算出することは、前記干渉測定参照信号を用いてチャネル推定を行い、チャネル推定値と前記干渉測定パラメータに基づき、前記干渉信号受信のための相関行列を特定し、前記干渉信号受信のための相関行列を用いて前記干渉信号の干渉推定値を算出すること、または、前記干渉測定パラメータに基づき、干渉測定が行われるアンテナポートを特定し、前記干渉測定参照信号を用いて、干渉測定が行われるアンテナポートのチャネル推定を行い、チャネル推定値に基づき、前記干渉信号受信のための相関行列を特定し、前記干渉信号受信のための相関行列を用いて前記干渉信号の干渉推定値を算出することを含む。
【０１７１】
選択可能に、前記トランシーバ８１０またはプロセッサ８００によって実行される、前記干渉測定参照信号を用いてチャネル推定を行い、チャネル推定値と前記干渉測定パラメータに基づき、前記干渉信号受信のための相関行列を特定し、前記干渉信号受信のための相関行列を用いて前記干渉信号の干渉推定値を算出することは、前記干渉測定参照信号を用いてチャネル推定を行ってチャネル推定値Ｈを得、前記干渉測定パラメータを用いて、前記干渉信号送信のための相関行列Ｒを特定し、前記干渉信号受信のための相関行列をＲｒｒ＝ＨＲＨＨに特定し、前記Ｒｒｒを用いて前記干渉信号の干渉推定値を算出すること、または、前記干渉測定参照信号を用いてチャネル推定を行ってチャネル推定値Ｈを得、前記干渉測定パラメータを用いて前記干渉信号の電力行列Ｐを特定し、前記干渉信号受信のための相関行列をＲｒｒ＝ＨＰＨＨに特定し、前記Ｒｒｒを用いて前記干渉信号の干渉推定値を算出することを含む。
【０１７２】
選択可能に、前記トランシーバ８１０またはプロセッサ８００によって実行される、前記干渉測定パラメータに基づき、干渉測定が行われるアンテナポートを特定し、前記干渉測定参照信号を用いて、干渉測定が行われるアンテナポートのチャネル推定を行い、チャネル推定値に基づき、前記干渉信号受信のための相関行列を特定し、前記干渉信号受信のための相関行列を用いて前記干渉信号の干渉推定値を算出することは、前記干渉測定パラメータに基づき、干渉測定が行われるアンテナポートを特定し、前記干渉測定参照信号を用いて、干渉測定が行われるアンテナポートのチャネル推定を行ってチャネル推定値Ｈｉを得、前記干渉信号受信のための相関行列をＲｒｒ＝ＨｉＨｉＨに特定し、前記Ｒｒｒを用いて前記干渉信号の干渉推定値を算出することを含む。ここで、（）Ｈは、共役転置を示す。
【０１７３】
選択可能に、前記トランシーバ８１０またはプロセッサ８００によって実行される、前記干渉測定パラメータを用いて前記干渉測定参照信号送信のための相関行列Ｒを特定することは、前記干渉測定パラメータが少なくとも２つのＮｐ×Ｎｐの行列のうちの１つの行列の指示情報であれば、前記干渉測定パラメータに指示される行列を、前記干渉信号送信のための相関行列Ｒに特定すること、または、前記干渉測定パラメータが少なくとも２つのＮｐ×Ｎｐの行列のうちの少なくとも２つの行列の指示情報であれば、前記干渉測定パラメータに指示される少なくとも２つの行列の和を、前記干渉信号送信のための相関行列Ｒに特定すること、または、前記干渉測定パラメータがＮｐ個のアンテナポートのうちのｎ個のアンテナポートの指示情報であれば、構造次元がＮｐである対角行列（前記対角行列の対角線で、前記干渉測定パラメータに指示されるアンテナポートに対応する位置の値が０ではない数値を取り、残りが０である）を前記干渉信号送信のための相関行列Ｒにすること、または、前記干渉測定パラメータが前記干渉信号送信のための相関行列であれば、当該相関行列を前記干渉信号送信のための相関行列Ｒに特定すること、または、前記干渉測定パラメータがＮｐ個のＮｐ×１次元のベクトルのうちのｋ個のベクトルの指示情報であれば、前記干渉信号送信のための相関行列
【数２４】
2020535751.tif 000026
（νｉ：前記干渉測定パラメータに指示される第ｉ（ｉ＝１，２，３…ｋ）個のコードワード）と特定すること、または、前記干渉測定パラメータがＱ個の行列のうちの１つの行列の指示情報であれば、前記干渉信号送信のための相関行列Ｒ＝ＶＶＨ（Ｖ：前記干渉測定パラメータに指示される行列）と特定すること、または、前記干渉測定パラメータがＱ個の行列のうちのｍ個の行列の指示情報であれば、前記干渉信号送信のための相関行列
【数２５】
2020535751.tif 000027
（νｉ：前記干渉測定パラメータに指示される第ｉ（ｉ＝１，…ｍ（２以上の整数））個の行列）と特定することを含む。
【０１７４】
選択可能に、前記トランシーバ８１０またはプロセッサ８００によって実行される、前記干渉測定パラメータに基づき、干渉測定が行われるアンテナポートを特定することは、前記干渉測定パラメータが少なくとも２つのＮｐ×Ｎｐの行列のうちの少なくとも１つの行列の指示情報であれば、前記干渉測定パラメータに指示される行列の対角線での０ではない数値を取る元素に対応するアンテナポートを、干渉測定が行われるアンテナポートに特定すること、または、前記干渉測定パラメータがＮｐ個のアンテナポートのうちのｎ個のアンテナポートの指示情報であれば、前記干渉測定パラメータに指示されるｎ個のアンテナポートを、干渉測定が行われるアンテナポートに特定すること、または、前記干渉測定パラメータが前記干渉測定参照信号送信のための相関行列であれば、前記干渉測定パラメータに指示される相関行列の対角線での０ではない数値を取る元素に対応するアンテナポートを、干渉測定が行われるアンテナポートに特定すること、または、前記干渉測定パラメータがＮｐ個のＮｐ×１次元のベクトルのうちのｋ個のベクトルの指示情報であれば、前記ｋ個のベクトルのうち０ではない数値を取る元素に対応するアンテナポートを、干渉測定が行われるアンテナポートに特定すること、または、前記干渉測定パラメータがＱ個の行列のうちの少なくとも１つの行列の指示情報であれば、前記干渉測定パラメータに指示される行列での０ではない数値を取る元素に対応するアンテナポートを、干渉測定が行われるアンテナポートに特定することを含む。
【０１７５】
選択可能に、前記トランシーバ８１０は、さらに、前記干渉推定値に基づいてチャネル状態情報を算出し、前記チャネル状態情報をネットワーク側にフィードバックすることに用いられる。または、前記プロセッサ８００は、さらに、前記干渉推定値に基づいてチャネル状態情報を算出することに用いられる。前記トランシーバ８１０は、さらに、前記チャネル状態情報をネットワーク側にフィードバックすることに用いられる。
【０１７６】
なお、本実施例における上記ユーザ端末は、本開示の一部実施例における方法実施例の任意の実施形態のユーザ端末であってもよい。本開示の一部実施例における方法実施例のユーザ端末の任意の実施形態を、本実施例における上記ユーザ端末によって実現可能であり、かつ同じ効果を奏するため、ここでは繰り返して記載しない。
【０１７７】
図９を参照する。図９は、本開示の一部実施例における別のネットワーク側機器の構造図である。図９に示すように、当該ネットワーク側機器は、トランシーバ９１０と、メモリ９２０と、プロセッサ９００と、前記メモリ９２０に記憶されて前記プロセッサで実行可能なコンピュータプログラムを含む。前記プロセッサ９００は、メモリ９２０からプログラムを読み取ることによって、干渉測定参照信号リソースの構成情報、および干渉測定パラメータを生成するプロセスを実行することに用いられる。前記トランシーバ９１０は、前記構成情報および前記干渉測定パラメータをユーザ端末に送信することに用いられる。よって、前記ユーザ端末が、前記干渉測定パラメータおよび前記干渉測定参照信号に基づき、干渉信号の干渉推定値を算出する。
【０１７８】
ここで、トランシーバ９１０は、プロセッサ９００による制御でデータを送受信することに用いられる。
【０１７９】
図９において、バスアーキテクチャは、任意数の相互接続するバスとブリッジを含み、具体的に、プロセッサ９００をはじめとする１つ又は複数のプロセッサとメモリ９２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ９１０は、複数の部品であってもよく、即ち送信機と受信機を含み、伝送媒体でほかの各種類の装置と通信するユニットとして提供される。
【０１８０】
プロセッサ９００は、バスアーキテクチャと通常の処理を管理する。メモリ９２０は、プロセッサ９００による操作実行に使用されるデータを記憶できる。
【０１８１】
なお、メモリ９２０は、ユーザ端末の１つの機器のみに限定されない。将来、メモリ９２０とプロセッサ９００は、異なる地理位置に離間して位置してもよい。
【０１８２】
選択可能に、前記干渉測定パラメータは、前記干渉信号の空間特徴および／または強度特徴を指示することに用いられる。
【０１８３】
選択可能に、前記強度特徴は、前記干渉測定参照信号の少なくとも１つのアンテナポートに対応する干渉信号の電力情報または幅情報を含む。
【０１８４】
選択可能に、前記電力情報は、前記干渉信号と前記干渉測定参照信号の電力比の値であり、前記幅情報は、前記干渉信号と前記干渉測定参照信号の幅比の値である。
【０１８５】
選択可能に、前記干渉信号の空間特徴は、前記干渉信号送信のための相関行列またはプリコーディング行列を含む。
【０１８６】
選択可能に、前記相関行列は、対角行列であって、かつ各対角線上の元素の値が０ではない数値または０を取る。前記プリコーディング行列は、各列で１つの元素のみの値が０ではない数値を取り、残りが０である。
【０１８７】
選択可能に、前記０ではない数値は、常数である。または、前記０ではない数値は、前記ユーザ端末が前記ネットワーク側機器から送信されたシグナリングに基づいて特定された数値である。ここで、前記相関行列とプリコーディング行列で０ではない数値は、同じであり、または異なる。
【０１８８】
選択可能に、前記干渉測定パラメータは、少なくとも２つのＮｐ×Ｎｐ（Ｎｐ：前記干渉測定参照信号の送信アンテナポート数）の行列のうちの少なくとも１つの行列の指示情報である。または、前記干渉測定パラメータは、Ｎｐ個のアンテナポートのうちのｎ（０＜ｎ≦Ｎｐ）個のアンテナポートの指示情報である。または、前記干渉測定パラメータは、前記干渉信号送信のための相関行列である。または、前記干渉測定パラメータは、Ｎｐ個のＮｐ×１次元のベクトルのうちのｋ（１以上の整数）個のベクトルの指示情報である。ここで、各ベクトルで１つの元素のみの値が０ではない数値を取り、残りが０である。または、前記干渉測定パラメータは、Ｑ（Ｑ≦Ｎｐ）個の行列のうちの少なくとも１つの行列の指示情報である。ここで、前記Ｑ個の行列は、次元がそれぞれＮｐ×１、Ｎｐ×２、Ｎｐ×３、…、Ｎｐ×Ｑである行列を含み、かつ各行列の各列で１つの元素のみの値が０ではない数値を取り、残りが０である。または、各行列の各列で１つの元素のみの値が０ではない数値を取り、残りが０であり、かつ各行で１つの元素のみの値が０ではない数値を取り、残りが０である。
【０１８９】
選択可能に、前記トランシーバ９１０は、さらに、前記ユーザ端末から前記干渉推定値に基づいて算出されて送信されるチャネル状態情報を受信することに用いられる。
【０１９０】
なお、本実施例における上記ネットワーク側機器は、本開示の一部実施例における方法実施例の任意の実施形態のネットワーク側機器であってもよい。本開示の一部実施例における方法実施例のネットワーク側機器の任意の実施形態を、本実施例における上記ネットワーク側機器によって実現可能であり、かつ同じ効果を奏するため、ここでは繰り返して記載しない。
【０１９１】
本開示は、コンピュータプログラムが記憶されているコンピュータ読み取り可能な記憶媒体をさらに提供する。当該プログラムがプロセッサによって実行されると、本開示の一部実施例におけるユーザ端末側の干渉測定方法のステップが実現される。
【０１９２】
本開示は、コンピュータプログラムが記憶されているコンピュータ読み取り可能な記憶媒体をさらに提供する。当該プログラムがプロセッサによって実行されると、本開示の一部実施例におけるネットワーク側機器側の干渉測定方法のステップが実現される。
【０１９３】
本願で提供されるいくつかの実施例において、開示された方法および装置は、他の方式で実施され得ることを理解されたい。例えば、以上に記載された装置の実施例は、単なる例示である。例えば、ユニットの区分は、単に論理機能の区分であり、実際に実現する際に別の区分方式がある。例えば、複数のユニットまたはコンポーネントは、別のシステムに組み合わせられまたは一体化される。または、一部の特徴は、無視されてもよく、または実行されなくてもよい。また、示されておりまたは議論されている相互間の結合や直接結合や通信接続は、インタフェース、装置またはユニットを介した間接結合や通信接続であり、電気的、機械的、または他の形式である。
【０１９４】
また、本開示の各実施例における各機能的ユニットは、１つの処理部に一体化されていてもよいし、別々に設けられていてもよいし、２つ以上が一体化されてもよい。上述した一体化ユニットは、ハードウェアの形態、またはハードウェアとソフトウェア機能ユニットの形態で実施することができる。
【０１９５】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例に記載の送受信方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１９６】
以上記載されたのは、本開示の一部の実施形態である。なお、当業者は、本開示に記載されている原理を逸脱せずに様々な改良や修飾をすることもできる。これらの改良や修飾も、本開示の保護範囲として見なされるべきである。
【図１】
2020535751.tif 000032
【図２】
2020535751.tif 000033
【図３】
2020535751.tif 000034
【図４】
2020535751.tif 000035
【図５】
2020535751.tif 000036
【図６】
2020535751.tif 000037
【図７】
2020535751.tif 000038
【図８】
2020535751.tif 000039
【図９】
2020535751.tif 000040
【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
ユーザ端末が、ネットワーク側機器から送信される干渉測定参照信号リソースの構成情報、および干渉測定パラメータを受信することと、
前記ユーザ端末が、前記構成情報に基づき、前記干渉測定参照信号リソースで干渉測定参照信号を受信することと、
前記ユーザ端末が、前記干渉測定パラメータおよび前記干渉測定参照信号に基づき、干渉信号の干渉推定値を算出することとを含む、干渉測定方法。
【請求項２】
前記干渉測定パラメータは、前記干渉信号の空間特徴および／または強度特徴を指示することに用いられる、請求項１に記載の方法。
【請求項３】
前記強度特徴は、前記干渉測定参照信号の少なくとも１つのアンテナポートに対応する干渉信号の電力情報または幅情報を含み、
前記電力情報は、前記干渉信号と前記干渉測定参照信号の電力比の値であり、
前記幅情報は、前記干渉信号と前記干渉測定参照信号の幅比の値である、請求項２に記載の方法。
【請求項４】
前記干渉信号の空間特徴は、前記干渉信号送信のための相関行列またはプリコーディング行列を含む、請求項２に記載の方法。
【請求項５】
前記相関行列は、対角行列であって、かつ各対角線上の元素の値が０ではない数値または０を取り、
前記プリコーディング行列は、各列で１つの元素のみの値が０ではない数値を取り、残りが０である、請求項４に記載の方法。
【請求項６】
前記０ではない数値は、常数であり、または、
前記０ではない数値は、前記ユーザ端末が前記ネットワーク側機器から送信されたシグナリングに基づいて特定された数値であり、
ここで、前記相関行列とプリコーディング行列で０ではない数値は、同じであり、または異なる、請求項５に記載の方法。
【請求項７】
前記ユーザ端末が、前記干渉測定パラメータおよび前記干渉測定参照信号に基づき、干渉信号の干渉推定値を算出することは、
前記ユーザ端末が、前記干渉測定パラメータおよび前記干渉測定参照信号に基づき、干渉信号受信のための相関行列を特定し、前記干渉信号受信のための相関行列を用いて前記干渉信号の干渉推定値を算出することを含む、請求項１〜６のいずれか一項に記載の方法。
【請求項８】
ネットワーク側機器が、干渉測定参照信号リソースの構成情報、および干渉測定パラメータを生成することと、
前記ネットワーク側機器が、前記構成情報および前記干渉測定パラメータをユーザ端末に送信することとを含み、
よって、前記ユーザ端末が、前記干渉測定パラメータおよび前記干渉測定参照信号に基づき、干渉信号の干渉推定値を算出する、干渉測定方法。
【請求項９】
前記干渉測定パラメータは、前記干渉信号の空間特徴および／または強度特徴を指示することに用いられる、請求項８に記載の方法。
【請求項１０】
前記強度特徴は、前記干渉測定参照信号の少なくとも１つのアンテナポートに対応する干渉信号の電力情報または幅情報を含み、
前記電力情報は、前記干渉信号と前記干渉測定参照信号の電力比の値であり、
前記幅情報は、前記干渉信号と前記干渉測定参照信号の幅比の値である、請求項９に記載の方法。
【請求項１１】
前記干渉信号の空間特徴は、前記干渉信号送信のための相関行列またはプリコーディング行列を含む、請求項９に記載の方法。
【請求項１２】
前記相関行列は、対角行列であって、かつ各対角線上の元素の値が０ではない数値または０を取り、
前記プリコーディング行列は、各列で１つの元素のみの値が０ではない数値を取り、残りが０である、請求項１１に記載の方法。
【請求項１３】
前記０ではない数値は、常数であり、または、
前記０ではない数値は、前記ユーザ端末が前記ネットワーク側機器から送信されたシグナリングに基づいて特定された数値であり、
ここで、前記相関行列とプリコーディング行列で０ではない数値は、同じであり、または異なる、請求項１２に記載の方法。
【請求項１４】
ネットワーク側機器から送信される干渉測定参照信号リソースの構成情報、および干渉測定パラメータを受信するための第１受信モジュールと、
前記構成情報に基づき、前記干渉測定参照信号リソースで干渉測定参照信号を受信するための第２受信モジュールと、
前記干渉測定パラメータおよび前記干渉測定参照信号に基づき、干渉信号の干渉推定値を算出するための算出モジュールとを含む、ユーザ端末。
【請求項１５】
干渉測定参照信号リソースの構成情報、および干渉測定パラメータを生成するための生成モジュールと、
前記構成情報および前記干渉測定パラメータをユーザ端末に送信するための送信モジュールとを含み、
よって、前記ユーザ端末が、前記干渉測定パラメータおよび前記干渉測定参照信号に基づき、干渉信号の干渉推定値を算出する、ネットワーク側機器。
【国際調査報告】
2020535751.tif 000041
2020535751.tif 000042
2020535751.tif 000043
2020535751.tif 000044